(57)【特許請求の範囲】
【請求項１】
表示状態が変化可能な複数の表示領域を有する可変表示部を含み、変動開始の条件の成立に応じて前記表示領域に表示される識別情報の変動を開始し、該識別情報の表示結果があらかじめ定められた特定表示態様となったことを条件として遊技者に所定の遊技価値が付与可能となる遊技機であって、
遊技の進行を制御する遊技制御手段と、
前記可変表示部の表示制御を行う表示制御手段とを備え、
前記遊技制御手段は、大当りとするか否か決定する大当り決定手段と、前記可変表示部の表示内容を決定する表示内容決定手段と、表示内容決定手段の決定にもとづいて、少なくとも変動時間を特定しうる情報と表示結果を特定可能な情報とを出力可能なコマンド出力手段とを含み、
前記表示制御手段は、前記変動時間を特定しうる情報にもとづいて当該変動時間に対応する識別情報変動パターンで表示制御を実行するとともに、前記表示結果を特定可能な情報にもとづいて表示結果を表示し、当該表示される表示結果に応じて前記識別情報変動パターンを構成する複数の変動態様のうち少なくとも２つの変動態様の期間を変更する変動期間変更手段を含み、
前記変動期間変更手段は、前記識別情報変動パターンの変動時間を変えることなく前記２つの変動態様の期間を変更する
ことを特徴とする遊技機。
【請求項２】
前記変動期間変更手段は、少なくともリーチを成立させる表示領域について変動態様の期間を変更する
請求項１記載の遊技機。
【請求項３】
識別情報変動パターンは高速で一定速の変動態様を含み、
変動期間変更手段は、高速で一定速の変動態様の期間を変更する
請求項２記載の遊技機。
【請求項４】
表示制御手段は、変動態様を他の変動態様に移行させる際に、識別情報を表示結果に応じて差し替える
請求項１から請求項３のうちのいずれかに記載の遊技機。
【請求項５】
表示制御手段は、最終停止する表示領域について識別情報を表示結果に応じて差し替える
請求項４記載の遊技機。
【請求項６】
表示制御手段は、前記識別情報を確定させるまでの間、先に停止した前記表示領域を、通常の変動と同じ態様で正方向と逆方向の変動を繰り返すように表示させる
請求項１から請求項５のうちのいずれかに記載の遊技機。
【発明の詳細な説明】
【０００１】
【発明の属する技術分野】
本発明は、パチンコ遊技機やコイン遊技機等の遊技機に関し、特に、表示状態が変化可能な可変表示装置を含み、可変表示装置における表示結果があらかじめ定められた特定の表示態様となった場合に所定の遊技価値が付与可能となる遊技機に関する。
【０００２】
【従来の技術】
遊技機として、表示状態が変化可能な可変表示部を有する可変表示装置が設けられ、可変表示部の表示結果があらかじめ定められた特定の表示態様となった場合に遊技者に有利となる大当り遊技状態に移行するように構成されたものがある。可変表示装置には複数の可変表示部があり、通常、複数の可変表示部の表示結果を時期を異ならせて表示するように構成されている。可変表示部には、例えば、図柄等の複数の識別情報が可変表示される。可変表示部の表示結果があらかじめ定められた特定の表示態様の組合せとなることを、通常、「大当り」という。なお、遊技価値とは、遊技機の遊技領域に設けられた可変入賞球装置の状態が打球が入賞しやすい遊技者にとって有利な状態になることや、遊技者にとって有利な状態となるための権利を発生させたりすることである。
【０００３】
大当りが発生すると、例えば、大入賞口が所定回数開放して打球が入賞しやすい大当り遊技状態に移行する。そして、各開放期間において、所定個（例えば１０個）の大入賞口への入賞があると大入賞口は閉成する。そして、大入賞口の開放回数は、所定回数（例えば１６ラウンド）に固定されている。なお、各開放について開放時間（例えば２９．５秒）が決められ、入賞数が所定個に達しなくても開放時間が経過すると大入賞口は閉成する。また、大入賞口が閉成した時点で所定の条件（例えば、大入賞口内に設けられているＶゾーンへの入賞）が成立していない場合には、所定回数に達していなくても大当り遊技状態は終了する。
【０００４】
また、「大当り」の組合せ以外の「はずれ」の表示態様の組合せのうち、複数の可変表示部の表示結果のうちの一部が未だに導出表示されていない段階において、既に表示結果が導出表示されている可変表示部の表示態様が特定の表示態様の組合せとなる表示条件を満たしている状態を「リーチ」という。遊技者は、大当りをいかにして発生させるかを楽しみつつ遊技を行う。
【０００５】
遊技機における遊技進行はマイクロコンピュータ等による遊技制御手段によって制御される。可変表示装置に表示される識別情報、キャラクタ画像および背景画像は、遊技制御手段からの表示制御コマンドデータに従って動作する表示制御手段によって制御される。可変表示装置に表示される識別情報、キャラクタ画像および背景画像は、一般に、表示制御用のマイクロコンピュータとマイクロコンピュータの指示に応じて画像データを生成して可変表示装置側に転送するビデオディスプレイプロセッサ（ＶＤＰ）とによって制御されるが、表示制御用のマイクロコンピュータのプログラム容量は大きい。従って、プログラム容量に制限のある遊技制御手段のマイクロコンピュータで可変表示装置に表示される識別情報等を制御することはできず、遊技制御手段のマイクロコンピュータとは別の表示制御用のマイクロコンピュータ（表示制御手段）が用いられる。
【０００６】
従って、遊技の進行を制御する遊技制御手段は、表示制御手段に対して表示制御のためのコマンドを送信する必要がある。識別情報等の画像データの生成は表示制御手段によって行われるが、画面内における変動中の識別情報の時々刻々の表示位置は、遊技の進行を制御する遊技制御手段が行った方がよいという観点から、遊技制御手段によって決定される。よって、遊技制御手段は、適当なタイミング毎に識別情報の表示位置を決定し、表示位置を表示制御手段に伝達する。
【０００７】
【発明が解決しようとする課題】
以上のように、従来の遊技機では、遊技制御手段によって変動中の識別情報の表示位置が決定されるので、遊技制御手段の識別情報表示に関する制御の負担が大きく、遊技制御手段において、他の遊技制御のために費やすことができる処理時間が制限されるという課題がある。そのような課題を解決するには、例えば、遊技制御手段が表示制御手段に対して変動に関する大まかな情報例えば変動時間を特定可能な情報を送信し、表示制御手段が、受信した情報に応じて識別情報の変動制御を行うことが考えられる。
【０００８】
しかし、そのような大まかな識別情報変動制御を行うと、遊技制御手段の表示制御に関する負荷は軽減されるのであるが、実際の変動時間が遊技制御手段によって決定された変動時間からずれてしまうおそれがある。例えば、最終停止図柄は遊技制御手段の抽選によって決定されるのであるが、決定されている最終停止図柄で変動を停止するために、遊技制御手段によって決定された変動時間に対して、最終停止までの変動時間が長くなってしまうおそれがある。
【０００９】
そこで、本発明は、遊技制御手段の識別情報表示に関する制御の負担を軽くできる状態で、実際の変動時間があらかじめ決められている変動時間からずれることのない遊技機を提供することを目的とする。
【００１０】
【課題を解決するための手段】
本発明による遊技機は、表示状態が変化可能な複数の表示領域を有する可変表示部を含み、変動開始の条件の成立に応じて表示領域に表示される識別情報の変動を開始し、識別情報の表示結果があらかじめ定められた特定表示態様となったことを条件として遊技者に所定の遊技価値が付与可能となる遊技機であって、遊技の進行を制御する遊技制御手段と、可変表示部の表示制御を行う表示制御手段とを備え、遊技制御手段は、大当りとするか否か決定する大当り決定手段と、可変表示部の表示内容を決定する表示内容決定手段と、表示内容決定手段の決定にもとづいて少なくとも変動時間を特定しうる情報と表示結果を特定可能な情報とを出力可能なコマンド出力手段とを含み、表示制御手段は、変動時間を特定しうる情報にもとづいて変動時間に対応する識別情報変動パターンで表示制御を実行するとともに、表示結果を特定可能な情報にもとづいて表示結果を表示し、表示される表示結果に応じて識別情報変動パターンを構成する複数の変動態様のうち少なくとも２つの変動態様の期間を変更する変動期間変更手段を含み、変動期間変更手段は、識別情報変動パターンの変動時間を変えることなく２つの変動態様の期間を変更するように構成されている。
【００１１】
変動期間変更手段は、少なくともリーチを成立させる表示領域について変動態様の期間を変更するように構成されていてもよい。
【００１２】
識別情報変動パターンは高速で一定速の変動態様を含み、変動期間変更手段は、高速で一定速の変動態様の期間を変更するように構成されていてもよい。
【００１３】
表示制御手段は、変動態様を他の変動態様に移行させる際に、識別情報を表示結果に応じて差し替えるように構成されていてもよい。
【００１４】
表示制御手段は、最終停止する表示領域について識別情報を表示結果に応じて差し替えるように構成されていてもよい。
【００１５】
表示制御手段は、識別情報を確定させるまでの間、先に停止した表示領域を、通常の変動と同じ態様で正方向と逆方向の変動を繰り返すように表示させるように構成されていてもよい。
【００１６】
従って、識別情報の停止は、識別情報が完全に停止している状態に加えて、最後に停止する識別情報が確定するまで識別情報を揺れ変動状態（通常の変動と同じ態様で正方向と逆方向の変動を繰り返す状態）におくいわゆる揺れ停止をも含む概念である。
【００１７】
【発明の実施の形態】
以下、本発明の一実施形態を図面を参照して説明する。
まず、遊技機の一例であるパチンコ遊技機の全体の構成について説明する。図１はパチンコ遊技機１を正面からみた正面図、図２はパチンコ遊技機１の内部構造を示す全体背面図、図３はパチンコ遊技機１の遊技盤を背面からみた背面図である。なお、ここでは、遊技機の一例としてパチンコ遊技機を示すが、本発明はパチンコ遊技機に限られず、例えばコイン遊技機等であってもよい。
【００１８】
図１に示すように、パチンコ遊技機１は、額縁状に形成されたガラス扉枠２を有する。ガラス扉枠２の下部表面には打球供給皿３がある。打球供給皿３の下部には、打球供給皿３からあふれた景品玉を貯留する余剰玉受皿４と打球を発射する打球操作ハンドル（操作ノブ）５が設けられている。ガラス扉枠２の後方には、遊技盤６が着脱可能に取り付けられている。また、遊技盤６の前面には遊技領域７が設けられている。
【００１９】
遊技領域７の中央付近には、複数種類の図柄を可変表示するための可変表示部９と７セグメントＬＥＤによる可変表示器１０とを含む可変表示装置８が設けられている。この実施の形態では、可変表示部９には、「左」、「中」、「右」の３つの図柄表示エリアがある。可変表示装置８の側部には、打球を導く通過ゲート１１が設けられている。通過ゲート１１を通過した打球は、玉出口１３を経て始動入賞口１４の方に導かれる。通過ゲート１１と玉出口１３との間の通路には、通過ゲート１１を通過した打球を検出するゲートスイッチ１２がある。また、始動入賞口１４に入った入賞球は、遊技盤６の背面に導かれ、始動口スイッチ１７によって検出される。また、始動入賞口１４の下部には開閉動作を行う可変入賞球装置１５が設けられている。可変入賞球装置１５は、ソレノイド１６によって開状態とされる。
【００２０】
可変入賞球装置１５の下部には、特定遊技状態（大当り状態）においてソレノイド２１によって開状態とされる開閉板２０が設けられている。この実施の形態では、開閉板２０が大入賞口を開閉する手段となる。開閉板２０から遊技盤６の背面に導かれた入賞球のうち一方（Ｖゾーン）に入った入賞球はＶカウントスイッチ２２で検出される。また、開閉板２０からの入賞球はカウントスイッチ２３で検出される。可変表示装置８の下部には、始動入賞口１４に入った入賞球数を表示する４個の表示部を有する始動入賞記憶表示器１８が設けられている。この例では、４個を上限として、始動入賞がある毎に、始動入賞記憶表示器１８は点灯している表示部を１つずつ増やす。そして、可変表示部９の可変表示が開始される毎に、点灯している表示部を１つ減らす。
【００２１】
遊技盤６には、複数の入賞口１９，２４が設けられている。遊技領域７の左右周辺には、遊技中に点滅表示される装飾ランプ２５が設けられ、下部には、入賞しなかった打球を吸収するアウト口２６がある。また、遊技領域７の外側の左右上部には、効果音を発する２つのスピーカ２７が設けられている。遊技領域７の外周には、遊技効果ＬＥＤ２８ａおよび遊技効果ランプ２８ｂ，２８ｃが設けられている。そして、この例では、一方のスピーカ２７の近傍に、景品玉払出時に点灯する賞球ランプ５１が設けられ、他方のスピーカ２７の近傍に、補給玉が切れたときに点灯する玉切れランプ５２が設けられている。さらに、図１には、パチンコ遊技台１に隣接して設置され、プリペイドカードが挿入されることによって玉貸しを可能にするカードユニット５０も示されている。
【００２２】
打球発射装置から発射された打球は、打球レールを通って遊技領域７に入り、その後、遊技領域７を下りてくる。打球が通過ゲート１１を通ってゲートスイッチ１２で検出されると、可変表示器１０の表示数字が連続的に変化する状態になる。また、打球が始動入賞口１４に入り始動口スイッチ１７で検出されると、図柄の変動を開始できる状態であれば、可変表示部９内の図柄が回転を始める。図柄の変動を開始できる状態でなければ、始動入賞記憶を１増やす。なお、始動入賞記憶については、後で詳しく説明する。可変表示部９内の画像の回転は、一定時間が経過したときに停止する。停止時の画像の組み合わせが大当り図柄の組み合わせであると、大当り遊技状態に移行する。すなわち、開閉板２０が、一定時間経過するまで、または、所定個数（例えば１０個）の打球が入賞するまで開放する。そして、開閉板２０の開放中に打球が特定入賞領域に入賞しＶカウントスイッチ２２で検出されると、継続権が発生し開閉板２０の開放が再度行われる。この継続権の発生は、所定回数（例えば１５ラウンド）許容される。
【００２３】
停止時の可変表示部９内の画像の組み合わせが確率変動を伴う大当り図柄の組み合わせである場合には、次に大当りとなる確率が高くなる。すなわち、高確率状態という遊技者にとってさらに有利な状態となる。
また、可変表示器１０における停止図柄が所定の図柄（当り図柄）である場合に、可変入賞球装置１５が所定時間だけ開状態になる。さらに、高確率状態では、可変表示器１０における停止図柄が当り図柄になる確率が高められるとともに、可変入賞球装置１５の開放時間と開放回数が高められる。
【００２４】
次に、パチンコ遊技機１の裏面の構造について図２を参照して説明する。
可変表示装置８の背面では、図２に示すように、機構板３６の上部に景品玉タンク３８が設けられ、パチンコ遊技機１が遊技機設置島に設置された状態でその上方から景品玉が景品玉タンク３８に供給される。景品玉タンク３８内の景品玉は、誘導樋３９を通って玉払出装置に至る。
【００２５】
機構板３６には、中継基板３０を介して可変表示部９を制御する可変表示制御ユニット２９、基板ケース３２に覆われ遊技制御用マイクロコンピュータ等が搭載された遊技制御基板（主基板）３１、可変表示制御ユニット２９と遊技制御基板３１との間の信号を中継するための中継基板３３、および景品玉の払出制御を行う払出制御用マイクロコンピュータ等が搭載された賞球基板３７が設置されている。さらに、機構板３６には、モータの回転力を利用して打球を遊技領域７に発射する打球発射装置３４と、スピーカ２７および遊技効果ランプ・ＬＥＤ２８ａ，２８ｂ，２８ｃに信号を送るためのランプ制御基板３５が設置されている。
【００２６】
また、図３はパチンコ遊技機１の遊技盤を背面からみた背面図である。遊技盤６の裏面には、図３に示すように、各入賞口および入賞球装置に入賞した入賞玉を所定の入賞経路に沿って導く入賞玉集合カバー４０が設けられている。入賞玉集合カバー４０に導かれる入賞玉のうち、開閉板２０を経て入賞したものは、玉払出装置９７が相対的に多い景品玉数（例えば１５個）を払い出すように制御される。始動入賞口１４を経て入賞したものは、玉払出装置（図３において図示せず）が相対的に少ない景品玉数（例えば６個）を払い出すように制御される。そして、その他の入賞口２４および入賞球装置を経て入賞したものは、玉払出装置が相対的に中程度の景品玉数（例えば１０個）を払い出すように制御される。なお、図３には、中継基板３３が例示されている。
【００２７】
賞球払出制御を行うために、入賞球検出スイッチ９９、始動口スイッチ１７およびＶカウントスイッチ２２からの信号が、主基板３１に送られる。主基板３１に入賞球検出スイッチ９９のオン信号が送られると、主基板３１から賞球基板３７に賞球個数信号が送られる。入賞があったことは入賞球検出スイッチ９９で検出されるが、その場合に、主基板３１から、賞球基板３７に賞球個数信号が与えられる。例えば、始動口スイッチ１７のオンに対応して入賞球検出スイッチ９９がオンすると、賞球個数信号に「６」が出力され、カウントスイッチ２３またはＶカウントスイッチ２２のオンに対応して入賞球検出スイッチ９９がオンすると、賞球個数信号に「１５」が出力される。そして、それらのスイッチがオンしない場合に入賞球検出スイッチ９９がオンすると、賞球個数信号に「１０」が出力される。
【００２８】
図４は、主基板３１における回路構成の一例を示すブロック図である。なお、図４には、賞球制御基板３７、ランプ制御基板３５、音声制御基板７０、発射制御基板９１および表示制御基板８０も示されている。主基板３１には、プログラムに従ってパチンコ遊技機１を制御する基本回路５３と、ゲートスイッチ１２、始動口スイッチ１７、Ｖカウントスイッチ２２、カウントスイッチ２３および入賞球検出スイッチ９９からの信号を基本回路５３に与えるスイッチ回路５８と、可変入賞球装置１５を開閉するソレノイド１６および開閉板２０を開閉するソレノイド２１を基本回路５３からの指令に従って駆動するソレノイド回路５９と、始動記憶表示器１８の点灯および滅灯を行うとともに７セグメントＬＥＤによる可変表示器１０と装飾ランプ２５とを駆動するランプ・ＬＥＤ回路６０とを含む。
【００２９】
また、基本回路５３から与えられるデータに従って、大当りの発生を示す大当り情報、可変表示部９の画像表示開始に利用された始動入賞球の個数を示す有効始動情報、確率変動が生じたことを示す確変情報等をホール管理コンピュータ等のホストコンピュータに対して出力する情報出力回路６４を含む。
【００３０】
基本回路５３は、ゲーム制御用のプログラム等を記憶するＲＯＭ５４、ワークメモリとして使用されるＲＡＭ５５、制御用のプログラムに従って制御動作を行うＣＰＵ５６およびＩ／Ｏポート部５７を含む。なお、ＲＯＭ５４，ＲＡＭ５５はＣＰＵ５６に内蔵されている場合もある。
【００３１】
さらに、主基板３１には、電源投入時に基本回路５３をリセットするための初期リセット回路６５と、定期的（例えば、２ｍｓ毎）に基本回路５３にリセットパルスを与えてゲーム制御用のプログラムを先頭から再度実行させるための定期リセット回路６６と、基本回路５３から与えられるアドレス信号をデコードしてＩ／Ｏポート部５７のうちのいずれかのＩ／Ｏポートを選択するための信号を出力するアドレスデコード回路６７とが設けられている。
なお、玉払出装置９７から主基板３１に入力されるスイッチ情報もあるが、図４ではそれらは省略されている。
【００３２】
遊技球を打撃して発射する打球発射装置は発射制御基板９１上の回路によって制御される駆動モータ９４で駆動される。そして、駆動モータ９４の駆動力は、操作ノブ５の操作量に従って調整される。すなわち、発射制御基板９１上の回路によって、操作ノブ５の操作量に応じた速度で打球が発射されるように制御される。
【００３３】
図４に示された構成において特徴的なことは、可変入賞球装置１５を開閉するソレノイド（始動入賞口を開くためのソレノイド）１６および開閉板２０を開閉するソレノイド（大入賞口を開くためのソレノイド）２１を駆動するソレノイド回路５９に対して、基本回路５３から複数の制御線が配されていることである。図５は、ソレノイド回路５９の構成例を示すブロック図である。ただし、図５において、電流増幅を行うための回路等は省略されている。
【００３４】
図５に示すように、基本回路５３のＩ／Ｏポート５７から複数の制御信号（この例では各３つ）がソレノイド回路５９に入力されるが、３つの信号がＡＮＤ回路５９ａに入力され、他の３つの信号がＡＮＤ回路５９ｂに入力される。ＡＮＤ回路５９ａの出力は大入賞口を開くためのソレノイド２１を駆動し、ＡＮＤ回路５９ｂの出力は始動入賞口を開くためのソレノイド１６を駆動する。従って、それぞれ３つの制御信号が全てオン状態（ハイレベル）になると、ソレノイド１６，２１が駆動状態になり始動入賞口，始動入賞口が開状態になる。
【００３５】
図６は、ソレノイド１６，２１を制御するための基本回路５３におけるＲＡＭ５５の使用方法の一例を示す説明図である。図６（Ａ）（ａ）に示すように、各制御信号に対応したフラグ領域が設けられている。ＣＰＵ５６が実行するソレノイド１６，２１の制御を行うプログラムは、フラグ領域に例えば「１」が設定されると、対応する制御信号をオンするように構成されている。なお、始動入賞口または始動入賞口を開閉制御するプログラムは、開状態にすべきときに３つのフラグをオン状態（「１」）にし、閉状態にすべきときに３つのフラグをオフ状態（「０」）にする。図６（Ａ）（ｂ）には、全てのフラグがオフ状態に設定されている場合が示されている。
【００３６】
そのような構成において、何らかの理由によってＲＡＭ５５内のデータが化けたとする。何らかの理由として例えばノイズが考えられる。例えば、図６（Ａ）（ｃ）に示すように、大入賞口を開くためのソレノイド２１に関わる１つのフラグがオフ状態であったのにオン状態に化けてしまったとする。しかし、そのような場合でも、ソレノイド回路５９におけるＡＮＤ回路５９ａはハイレベルを出力しない。すなわち、ノイズ等によってＲＡＭ化けが生じてもソレノイドがオンしてしまうことはない。
【００３７】
図６（Ｂ）は従来のソレノイド１６，２１を制御するための基本回路５３におけるＲＡＭ５５の使用方法の一例を示す説明図である。従来の構成では、各ソレノイド１６，２１は、それぞれ１つの制御信号で制御されていた。従って、図６（Ｂ）（ａ）に示すように、各ソレノイド１６，２１のオンオフに対応した各１つのフラグ領域が設けられていた。そのような構成では、例えば、図６（Ｂ）（ｂ）に示すように各ソレノイド１６，２１がオフ状態であるべきときに、ノイズ等によって図６（Ｂ）（ｃ）に示すようにＲＡＭ化けが生ずると、直ちにソレノイド２１がオンしてしまう。そして、このオン状態は、正規の制御によって大入賞口が開状態とされその後閉状態とされるまで継続されてしまう。すなわち、長期間にわたって大入賞口が開放状態になってしまう。このことは、始動入賞口についても同様である。
【００３８】
図７は、表示制御基板８０内の回路構成を、可変表示部９の一実現例であるＣＲＴ８２および主基板３１の出力バッファ回路（出力ドライバ）６３とともに示すブロック図である。表示制御用ＣＰＵ１０１は、制御データＲＯＭ１０２に格納されたプログラムに従って動作し、主基板３１から入力バッファ回路１０５における入力バッファ１０５ａを介してストローブ信号が入力されると、入力バッファ１０５ａを介して表示制御コマンドを受信する。なお、主基板３１の出力バッファ回路６３は、基本回路５３の出力ポートから信号を入力して主基板３１から出力する回路であるが、片方向（主基板３１から表示制御基板８０に向かう方向）にしか信号を伝えない。
【００３９】
そして、表示制御用ＣＰＵ１０１は、受信した表示制御コマンドに従って、ＣＲＴ８２に表示される画面の表示制御を行う。具体的には、表示制御コマンドに応じた指令をＶＤＰ１０３に与える。ＶＤＰ１０３は、キャラクタＲＯＭ８６から必要なデータを読み出す。ＶＤＰ１０３は、入力したデータに従ってＣＲＴ８２に表示するための画像データを生成し、その画像データをＶＲＡＭ８７に格納する。そして、ＶＲＡＭ８７内の画像データは、Ｒ，Ｇ，Ｂ信号に変換され、Ｄ−Ａ変換回路１０４でアナログ信号に変換されてＣＲＴ８２に出力される。
【００４０】
なお、図７には、ＶＤＰ１０３をリセットするためのリセット回路８３、ＶＤＰ１０３に動作クロックを与えるための発振回路８５、および使用頻度の高い画像データを格納するキャラクタＲＯＭ８６も示されている。キャラクタＲＯＭ８６に格納される使用頻度の高い画像データとは、例えば、ＣＲＴ８２に表示される人物、動物、または、文字、図形もしくは記号等からなる画像などである。
【００４１】
入力バッファ回路１０５における入力バッファ１０５ａは、主基板３１から表示制御基板８０へ向かう方向にのみ信号を通過させることができる。従って、表示制御基板８０側から主基板３１側に信号が伝わる余地はない。表示制御基板８０内の回路に不正改造が加えられても、不正改造によって出力される信号が主基板３１側に伝わることはない。さらに、片方向にしか信号を伝えない出力バッファ回路６３を設けることによって、主基板３１から表示制御基板８０への一方向性の信号伝達をより確実にすることができる。
【００４２】
図８は、主基板３１における音声制御コマンドの信号送信部分および音声制御基板７０の構成例を示すブロック図である。この実施の形態では、遊技進行に応じて、遊技領域７の外側に設けられているスピーカ２７の音声出力を指示するための音声制御コマンドが、主基板３１から音声制御基板７０に出力される。
【００４３】
図８に示すように、音声制御コマンドは、基本回路５３におけるＩ／Ｏポート部５７の出力ポート（出力ポートＥ）５７５から出力される。音声制御基板７０において、主基板３１からの各信号は、入力バッファ回路７０５を介して音声制御用ＣＰＵ７０１に入力する。なお、音声制御用ＣＰＵ７０１がＩ／Ｏポートを内蔵していない場合には、入力バッファ回路７０５と音声制御用ＣＰＵ７０１との間に、Ｉ／Ｏポートが設けられる。そして、例えばディジタルシグナルプロセッサによる音声合成回路７０２は、音声制御用ＣＰＵ７０１の指示に応じた音声や効果音を発生し音量切替回路７０３に出力する。音量切替回路７０３は、音声制御用ＣＰＵ７０１の出力レベルを、設定されている音量に応じたレベルにして音量増幅回路７０４に出力する。音量増幅回路７０４は、増幅した音声信号をスピーカ２７に出力する。
【００４４】
入力バッファ回路７０５として、例えば、汎用のＣＭＯＳ−ＩＣである７４ＨＣ２４４が用いられる。７４ＨＣ２４４のイネーブル端子には、常にローレベル（ＧＮＤレベル）が与えられている。よって、各バッファの出力レベルは、入力レベルすなわち主基板３１からの信号レベルに確定している。よって、音声制御基板７０側から主基板３１側に信号が伝わる余地はない。従って、音声制御基板７０内の回路に不正改造が加えられても、不正改造によって出力される信号が主基板３１側に伝わることはない。
【００４５】
また、主基板３１において、出力ポート５７５の外側に出力バッファ回路７１が設けられている。出力バッファ回路７１として、例えば、汎用のＣＭＯＳ−ＩＣである７４ＨＣ２４４が用いられる。イネーブル端子には常にローレベル（ＧＮＤレベル）が与えられている。このような構成によれば、外部から主基板３１の内部に入力される信号が阻止されるので、音声制御基板７０から主基板３１に信号が与えられる可能性がある信号ラインをさらに確実になくすことができる。
【００４６】
次に遊技機の動作について説明する。
図９は、主基板３１における基本回路５３の動作を示すフローチャートである。上述したように、この処理は、定期リセット回路６６が発するリセットパルスによって、例えば２ｍｓ毎に起動される。基本回路５３が起動されると、基本回路５３は、まず、クロックモニタ制御を動作可能状態にするために、ＣＰＵ５６に内蔵されているクロックモニタレジスタをクロックモニタイネーブル状態に設定する（ステップＳ１）。なお、クロックモニタ制御とは、入力されるクロック信号の低下または停止を検出すると、ＣＰＵ５６の内部で自動的にリセットを発生する制御である。
【００４７】
次いで、ＣＰＵ５６は、スタックポインタの指定アドレスをセットするためのスタックセット処理を行う（ステップＳ２）。この例では、スタックポインタに００ＦＦＨが設定される。そして、システムチェック処理を行う（ステップＳ３）。システムチェック処理では、ＣＰＵ５６は、ＲＡＭ５５にエラーが含まれているか判定し、エラーが含まれている場合には、ＲＡＭ５５を初期化するなどの処理を行う。
【００４８】
次に、表示制御基板８０に送出されるコマンドデータをＲＡＭ５５の所定の領域に設定する処理を行った後に（表示制御データ設定処理：ステップＳ４）、コマンドデータを表示制御コマンドデータとして出力する処理を行う（表示制御データ出力処理：ステップＳ５）。
【００４９】
次いで、各種出力データの格納領域の内容を各出力ポートに出力する処理を行う（データ出力処理：ステップＳ６）。また、ランプタイマを１減ずる処理を行い、ランプタイマがタイムアウトしたら（＝０になったら）、ランプデータポインタを更新するとともに新たな値をランプタイマに設定する（ランプタイマ処理：ステップＳ７）。
【００５０】
また、ランプデータポインタが示すアドレスのデータ、ホール管理用コンピュータに出力される大当り情報、始動情報、確率変動情報などの出力データを格納領域に設定する出力データ設定処理を行う（ステップＳ８）。さらに、パチンコ遊技機１の内部に備えられている自己診断機能によって種々の異常診断処理が行われ、その結果に応じて必要ならば警報が発せられる（エラー処理：ステップＳ９）。
【００５１】
次に、遊技制御に用いられる大当り判定用乱数等の各判定用乱数を示す各カウンタを更新する処理を行う（ステップＳ１０）。
図１０は、各乱数を示す説明図である。各乱数は、以下のように使用される。
（１）ランダム１：大当りを発生させるか否か決定する（大当り判定用＝特別図柄決定用）
（２）ランダム２−１〜２−３：左右中のはずれ図柄決定用
（３）ランダム３：大当り時の図柄の組合せを決定する（大当り図柄決定用＝特別図柄判定用）
（４）ランダム４：はずれ時にリーチするか否か決定する（リーチ判定用）
（５）ランダム５：大当り予告を行うか否か決定する（大当り予告用）
（６）ランダム６：リーチ時の変動時間を決定する（リーチ用）
【００５２】
なお、遊技効果を高めるために、上記（１）〜（６）の乱数以外の乱数も用いられている。
ステップＳ１０では、ＣＰＵ５６は、（１）の大当たり判定用乱数および（３）の大当り図柄判定用乱数を生成するためのカウンタのカウントアップ（１加算）を行う。すなわち、それらが判定用乱数である。
【００５３】
次に、ＣＰＵ５６は、特別図柄プロセス処理を行う（ステップＳ１１）。特別図柄プロセス制御では、遊技状態に応じてパチンコ遊技機１を所定の順序で制御するための特別図柄プロセスフラグに従って該当する処理が選び出されて実行される。そして、特別図柄プロセスフラグの値は、遊技状態に応じて各処理中に更新される。また、普通図柄プロセス処理を行う（ステップＳ１２）。普通図柄プロセス処理では、７セグメントＬＥＤによる可変表示器１０を所定の順序で制御するための普通図柄プロセスフラグに従って該当する処理が選び出されて実行される。そして、普通図柄プロセスフラグの値は、遊技状態に応じて各処理中に更新される。
【００５４】
さらに、ＣＰＵ５６は、スイッチ回路５８を介して、各スイッチの状態を入力し、スイッチ状態に応じて必要な処理を行う（スイッチ処理：ステップＳ１３）。また、後述するプロセスデータ中の音声データを音声制御基板７０に送出する処理を行う（音声処理：ステップＳ１４）。
【００５５】
基本回路５３は、さらに、表示用乱数を更新する処理を行う（ステップＳ１５）。すなわち、ランダム２，４，５，６を生成するためのカウンタのカウントアップ（１加算）を行う。
【００５６】
また、基本回路５３は、賞球制御基板３７との間の信号処理を行う（ステップＳ１６）。すなわち、所定の条件が成立すると賞球制御基板３７に賞球個数を示す賞球制御コマンドを出力する。賞球制御基板３７に搭載されている賞球制御用ＣＰＵは、受信した賞球個数に応じて玉払出装置９７を駆動する。
その後、基本回路５３は、次に定期リセット回路６６からリセットパルスが与えられるまで、ステップＳ１７の表示用乱数更新処理を繰り返す。
【００５７】
次に、始動入賞口１４への入賞にもとづいて可変表示部９に可変表示される図柄の決定方法について図１１〜図１３のフローチャートを参照して説明する。図１１は打球が始動入賞口１４に入賞したことを判定する処理を示し、図１２は可変表示部９の可変表示の停止図柄を決定する処理を示す。図１３は、大当りとするか否か決定する処理を示すフローチャートである。
【００５８】
打球が遊技盤６に設けられている始動入賞口１４に入賞すると、始動口センサ１７がオンする。ステップＳ１０のスイッチ処理において、ＣＰＵ５６は、スイッチ回路５８を介して始動口センサ１７がオンしたことを判定すると（ステップＳ４１）、始動入賞記憶数が最大値である４に達しているかどうか確認する（ステップＳ４２）。始動入賞記憶数が４に達していなければ、始動入賞記憶数を１増やし（ステップＳ４３）、大当り図柄判定用乱数の値を抽出する。そして、それを始動入賞記憶数の値に対応した乱数値格納エリアに格納する（ステップＳ４４）。なお、始動入賞記憶数が４に達している場合には、始動入賞記憶数を増やす処理を行わない。すなわち、この実施の形態では、最大４個の始動入賞口１７に入賞した打球数が記憶可能である。
【００５９】
ＣＰＵ５６は、ステップＳ８の特別図柄プロセス処理において始動入賞記憶数の値を確認する（ステップＳ５０）。始動入賞記憶数が０でなければ、始動入賞記憶数＝１に対応する乱数値格納エリアに格納されている値を読み出すとともに（ステップＳ５１）、始動入賞記憶数の値を１減らし、かつ、各乱数値格納エリアの値をシフトする（ステップＳ５２）。すなわち、始動入賞記憶数＝ｎ（ｎ＝２，３，４）に対応する乱数値格納エリアに格納されている値を、始動入賞記憶数＝ｎ−１に対応する乱数値格納エリアに格納する。
【００６０】
そして、ＣＰＵ５６は、ステップＳ５１で読み出した値、すなわち抽出されている大当り図柄判定用乱数の値にもとづいて当たり／はずれを決定する（ステップＳ５３）。ここでは、大当り図柄判定用乱数は０〜２４９の範囲の値をとることにする。図１３に示すように、低確率時には例えばその値が「３」である場合に「大当り」と決定し、それ以外の値である場合には「はずれ」と決定する。高確率時には例えばその値が「３」，「７」，「７９」，「１０３」，「１０７」のいずれかである場合に「大当り」と決定し、それ以外の値である場合には「はずれ」と決定する。
【００６１】
大当たりと判定されたときには、基本回路５３は、大当り図柄判定用乱数の値にもとづいて停止図柄を決定する。ここで、リミッタが作動中でないならば、大当り図柄判定用乱数の値に従って全図柄を含むテーブルから停止図柄を決定する（ステップＳ５４，Ｓ５５）。リミッタが作動している場合には、基本回路５３は、大当り図柄判定用乱数の値に従って確率変動を引き起こす図柄の組合せ（確変図柄）を含まない図柄のテーブルから停止図柄を決定する（ステップＳ５４，Ｓ５６）。リミッタは、連続して確変図柄による大当たりが発生すること、すなわち連続して高確率状態が継続することを制限するためのものである。例えば、４回連続して高確率状態が継続するとリミッタが作動状態になる。従って、リミッタ作動状態では、確率変動が行われる特別図柄を含まないテーブルから停止図柄が決定される。
【００６２】
さらに、ＣＰＵ５６は、大当り予告を行うか否か決定する。すなわち、大当り予告用乱数（ランダム５）の値を抽出し、その値が０または１ならば大当り予告を行うことに決定する（ステップＳ６５）。また、リーチ用乱数（ランダム６）を抽出しその値にもとづいてリーチ種類を決定する（ステップＳ５７）。なお、後述するように、この実施の形態では、２種類の大当り予告が用意されているので、ステップＳ６５では、例えば他の乱数等を用いていずれの態様の大当り予告を行うかも決定する。
【００６３】
はずれと判定された場合には、ＣＰＵ５６は、リーチとするか否か判定する（ステップＳ５８）。例えば、リーチ判定用の乱数であるランダム４の値が「１０５」〜「１５３０」のいずれかである場合には、リーチとしないと決定する。そして、リーチ判定用乱数の値が「０」〜「１０４」のいずれかである場合にはリーチとすることを決定する。リーチとすることを決定したときには、ＣＰＵ５６は、リーチ図柄の決定を行う。
【００６４】
この実施の形態では、ランダム２−１の値に従って左右図柄を決定する（ステップＳ５９）。また、ランダム２−２の値に従って中図柄を決定する（ステップＳ６０）。すなわち、ランダム２−１およびランダム２−２の値の０〜１５の値に対応したいずれかの図柄が停止図柄として決定される。ここで、決定された中図柄が左右図柄と一致した場合には、中図柄に対応した乱数の値に１加算した値に対応する図柄を中図柄の確定図柄として、大当たり図柄と一致しないようにする。
【００６５】
さらに、ＣＰＵ５６は、大当り予告用乱数（ランダム５）の値を抽出し、その値が０または１ならば大当り予告を行うことに決定する（ステップＳ６６）。また、リーチ用乱数（ランダム６）を抽出しその値にもとづいてリーチ種類を決定する（ステップＳ５７）。
【００６６】
ステップＳ５８において、リーチしないことに決定された場合には、ランダム２−１〜２−３の値に応じて左右中図柄を決定する（ステップＳ６１）。なお、後述するように、この実施の形態では、高確率状態では、はずれ時の変動パターンとして変動時間が短縮されたものも使用される。そこで、高確率状態では、ＣＰＵ５６は、通常のはずれ時の変動パターンを用いるか短縮された変動パターンを用いるのかを、例えば所定の乱数等を用いて決定する。
【００６７】
以上のようにして、始動入賞にもとづく図柄変動の表示態様が大当たりとするか、リーチ態様とするか、はずれとするか決定され、それぞれの停止図柄の組合せが決定される。
【００６８】
なお、ステップＳ５７において決定されるリーチ種類は、リーチ時の図柄の可変表示期間を示すものである。後で詳しく説明するが、この実施の形態では、リーチ時には、１４．５秒、２２．５秒および２９．５秒のうちのいずれかの可変表示期間が用いられる。従って、ステップＳ５７では、抽出されたランダム６の値に応じて、３種類の期間のうちのいずれかが決定される。
【００６９】
また、高確率状態において、次に大当たりとなる確率が上昇するとともに、７セグメントＬＥＤによる可変表示器１０の可変表示の確定までの時間が短縮され、かつ、可変表示器１０の可変表示結果にもとづく当たり時の可変入賞球装置１５の開放回数および開放時間が高められるようにパチンコ遊技機１が構成されていてもよいし、可変表示器１０の可変表示結果にもとづく当たりの確率が高くなるように構成されていてもよい。また、それらのうちのいずれか一つまたは複数の状態のみが生ずるパチンコ遊技機１においても本発明は適用可能である。
【００７０】
例えば、可変表示部９の停止図柄の組合せが特定図柄となった場合に、大当たりとなる確率は上昇しないが可変表示器１０の可変表示結果にもとづく当たり時の可変入賞球装置１５の開放回数および開放時間が高められる遊技機においても、リーチとすることが決定されたら、左右の停止図柄を特定図柄の表示態様と一致させるか否か、すなわちどの図柄でリーチ状態を発生させるかが所定の乱数等の手段によって決定される遊技機においても本発明を適用可能である。
また、この実施の形態で用いられた乱数および乱数値の範囲は一例であって、どのような乱数を用いてもよいし、範囲設定も任意である。
【００７１】
図１４は、ＣＰＵ５６が実行する特別図柄プロセス処理のプログラムの一例を示すフローチャートである。図１４に示す特別図柄プロセス処理は、図９のフローチャートにおけるステップＳ１１の具体的な処理である。ＣＰＵ５６は、特別図柄プロセス処理を行う際に、その内部状態に応じて、図１４に示すステップＳ３００〜Ｓ３０９のうちのいずれかの処理を行う。各処理において、以下のような処理が実行される。
【００７２】
特別図柄変動待ち処理（ステップＳ３００）：始動入賞口１４（この実施の形態では可変入賞球装置１５の入賞口）に打球入賞して始動口センサ１７がオンするのを待つ。始動口センサ１７がオンすると、始動入賞記憶数が満タンでなければ、始動入賞記憶数を＋１するとともに大当り決定用乱数を抽出する。すなわち、図１１に示された処理が実行される。
特別図柄判定処理（ステップＳ３０１）：特別図柄の可変表示が開始できる状態になると、始動入賞記憶数を確認する。始動入賞記憶数が０でなければ、抽出されている大当り決定用乱数の値に応じて大当たりとするかはずれとするか決定する。すなわち、図１２に示された処理の前半が実行される。
停止図柄設定処理（ステップＳ３０２）：左右中図柄の停止図柄を決定する。すなわち、図１２に示された処理の中半が実行される。
【００７３】
リーチ動作設定処理（ステップＳ３０３）：リーチ判定用乱数の値に応じてリーチ動作するか否か決定するとともに、リーチ用乱数の値に応じてリーチ時の変動期間を決定する。すなわち、図１２に示された処理の後半が実行される。
【００７４】
全図柄変動開始処理（ステップＳ３０４）：可変表示部９において全図柄が変動開始されるように制御する。このとき、表示制御基板８０に対して、左右中最終停止図柄と変動期間を指令する情報とが送信される。また、可変表示部９に背景やキャラクタも表示される場合には、それに応じた表示制御コマンドデータが表示制御基板８０に送出されるように制御する。
【００７５】
全図柄停止待ち処理（ステップＳ３０５）：変動期間が終了するのを待ち、変動期間が経過すると、可変表示部９において表示される全図柄を停止すべきことを示す全図柄停止コマンドが表示制御基板８０に送出されるように制御する。
【００７６】
大当たり表示処理（ステップＳ３０６）：停止図柄が大当たり図柄の組み合わせである場合には、内部状態（プロセスフラグ）をステップＳ３０７に移行するように更新する。そうでない場合には、内部状態をステップＳ３０９に移行するように更新する。なお、大当たり図柄の組み合わせは、左右中図柄が揃った組み合わせである。また、左右図柄が揃うとリーチとなる。
【００７７】
大入賞口開放開始処理（ステップＳ３０７）：大入賞口を開放する制御を開始する。具体的には、カウンタやフラグを初期化するとともに、ソレノイド２１を駆動して大入賞口を開放する。
【００７８】
大入賞口開放中処理（ステップＳ３０８）：大入賞口ラウンド表示の表示制御コマンドデータが表示制御基板８０に送出する制御や大入賞口の閉成条件の成立を確認する処理等を行う。大入賞口の閉成条件が成立したら、大当り遊技状態の終了条件が成立していなければ内部状態をステップＳ３０７に移行するように更新する。大当り遊技状態の終了条件が成立していれば、内部状態をステップＳ３０９に移行するように更新する。
【００７９】
大当たり終了処理（ステップＳ３０９）：大当たり遊技状態が終了したことを遊技者に報知するための表示を行う。その表示が終了したら、内部フラグ等を初期状態に戻し、内部状態をステップＳ３００に移行するように更新する。
【００８０】
上述したように、始動入賞口１４に打球が入賞すると、基本回路５３は、ステップＳ１１（図９参照）の特別図柄プロセス処理において、大当たりとするかはずれとするか、停止図柄および可変表示期間を決定するが、その決定に応じた表示制御コマンドを表示制御基板８０の表示制御用ＣＰＵ１０１に与える。表示制御用ＣＰＵ１０１は、主基板３１からの表示制御コマンドに応じて可変表示部９の表示制御を行う。
【００８１】
次に、図柄の変動を具体例を用いて説明する。
図１５は、この実施の形態で用いられる左右中図柄の例を示す説明図である。図１３に示すように、この実施の形態では、左右中図柄として表示される各図柄は、左右中で同一の１２図柄である。図柄番号１２の図柄が表示されると、次に、図柄番号１の図柄が表示される。そして、左右中図柄が、例えば、「一」、「三」、「五」、「七」、「九」または「下駄」で揃って停止すると高確率状態となる。すなわち、それらが確変図柄となる。
【００８２】
図１６は、この実施の形態で用いられる可変表示部９に表示される背景図柄の例を示す説明図である。この例では、（Ａ）道場、（Ｂ）閃光、（Ｃ）オーラ、および（Ｄ）煙の背景が用いられる。また、図１６（Ｅ）に示された表示は、遊技機の非遊技中等に表示されるデモンストレーション画面の例を示す。
【００８３】
図１７は、この実施の形態で用いられる可変表示部９に表示されるキャラクタの例を示す説明図である。この例では、（Ａ）キャラクタＡ、（Ｂ）キャラクタＢおよび（Ｃ）キャラクタＣが用いられる。なお、キャラクタＡは、大当り予告用のキャラクタとしても用いられ、キャラクタＡの目が光るように表示されると（予告１）、またはキャラクタＡが吹き出しで予告すると（予告２）、大当り予告が行われたことになる。また、キャラクタＡは、リーチを成立させるためのキャラクタとしても用いられ、所定の条件が成立すると、キャラクタＡの足が右図柄を蹴るように表示されて左右図柄が同一図柄で停止する表示制御が行われる。
【００８４】
表示制御基板８０における表示制御用ＣＰＵ１０１は、主基板３１から表示制御コマンドを受信すると、各変動パターンにおいてあらかじめ決められている背景やキャラクタを画面上で移動表示する制御を行う。なお、あらかじめ決められているタイミングで背景やキャラクタの切替も行われるが、それらも表示制御用ＣＰＵ１０１が独自に制御する。
【００８５】
図１８〜図２１は、この実施の形態で用いられる主基板３１から表示制御基板８０に送信される表示制御コマンド例を示す説明図である。この例では、１つの表示制御コマンドは２バイト（ＣＭＤ１，ＣＭＤ２）で構成される。
【００８６】
図１８は、図柄の可変表示期間を特定可能な表示制御コマンドおよび全図柄の停止を指示する表示制御コマンドを示す説明図である。図１８に示すように、この例では、可変表示期間を特定可能な表示制御コマンドとして、「はずれ」、「確変時全図柄変動」、「リーチ短期間」、「リーチ中期間」および「リーチ長期間」がある。
【００８７】
図１９には、左図柄の停止図柄を示す表示制御コマンドが示されている。図１９に示すように、２バイトの制御データＣＭＤ１，ＣＭＤ２で構成される表示制御コマンドによって停止図柄が指定される。なお、それらの指定において、１バイト目の制御データＣＭＤ１の値は、「８Ｂ（Ｈ）」である。
【００８８】
図２０には、中図柄の停止図柄を示す表示制御コマンドが示されている。図２０に示すように、２バイトの制御データＣＭＤ１，ＣＭＤ２で構成される表示制御コマンドによって停止図柄が指定される。なお、それらの指定において、１バイト目の制御データＣＭＤ１の値は、「８Ｃ（Ｈ）」である。
【００８９】
図２１には、右図柄の停止図柄を示す表示制御コマンドが示されている。図２１に示すように、２バイトの制御データＣＭＤ１，ＣＭＤ２で構成される表示制御コマンドによって停止図柄が指定される。なお、それらの指定において、１バイト目の制御データＣＭＤ１の値は、「８Ｄ（Ｈ）」である。
【００９０】
図２２は、主基板３１から表示制御基板８０に送信される表示制御コマンドを示す説明図である。図２２に示すように、この実施の形態では、表示制御コマンドは、表示制御信号ＣＤ０〜ＣＤ７の８本の信号線で主基板３１から表示制御基板８０に送信される。また、主基板３１と表示制御基板８０との間には、ストローブ信号を送信するための表示制御信号ＩＮＴの信号線、表示制御基板８０の電源となる＋５Ｖ，＋１２Ｖの供給線、および接地レベルを供給するための信号線も配線されている。
【００９１】
図２３は、主基板３１から遊技制御基板８０に与えられる表示制御コマンドの送出タイミングの例を示すタイミング図である。この例では、表示制御コマンドデータを構成する２バイトの表示制御データは、図２３に示すように、２ｍｓ毎に送出される。そして、各表示制御データに同期してストローブ信号（表示制御信号ＩＮＴ）が出力される。表示制御用ＣＰＵ１０１には、ストローブ信号の立ち上がりで割込がかかるので、表示制御用ＣＰＵ１０１は、割込処理プログラムによって各表示制御データを取り込むことができる。
【００９２】
以下、図２４〜図３０を参照して図柄の変動パターンの例について説明する。図２４は、各変動パターンを構成する変動態様（パターンａ〜ｈ）を示す説明図である。図２５は、リーチとしないはずれ時の図柄の変動の一例を示すタイミング図である。また、図２６〜図２９は、リーチ時（大当りの場合および大当りとしない場合）の図柄の変動の一例を示すタイミング図である。そして、図３０は、変動態様期間の可変制御を説明するための説明図である。
【００９３】
この実施の形態では、はずれ時には、図２５（Ａ）に示すように、可変表示部９における「左」の図柄表示エリアにおいて、まず、パターンａに従って図柄の変動が行われる。パターンａは、図２４に示すように、少しずつ変動速度が上がるパターンである。その後、パターンｂの一定速の高速変動が行われ、停止図柄の３図柄前の図柄が表示されるように制御された後、パターンｃに従って３図柄の変動が行われる。パターンｃは、図２４に示すように、徐々に遅くなって停止するパターンである。
【００９４】
また、可変表示部９における「右」の図柄表示エリアにおいて、パターンａに従って図柄の変動が行われる。その後、一定速変動の後、停止図柄の３図柄前の図柄が表示されるように制御された後、パターンｃに従って図柄の変動が行われる。「中」の図柄表示エリアにおいても、まず、パターンａに従って図柄の変動が行われる。その後、一定速変動の後、停止図柄の３図柄前の図柄が表示されるように制御された後、パターンｃに従って図柄の変動が行われる。
【００９５】
なお、表示制御基板８０の表示制御用ＣＰＵ１０１は、中図柄が確定するまで、左右図柄を変動方向の正方向と逆方向に繰り返し変動させる。すなわち、左右図柄を、いわゆる揺れ変動による停止状態に表示制御する。揺れ変動とは、図柄が上下に揺れる表示されることをいう。また、揺れ変動は、最終停止図柄（確定図柄）が表示されるまで行われる。従って、遊技者は、左右中図柄が最終停止するまで各図柄がまだ確定していないこと、すなわち、大当りの対象となる各図柄によって大当りが生ずる可能性があることを左右中図柄が最終停止するまで期待することができる。ない、揺れ停止状態における揺れ変動は、図柄が上下に揺れるだけでなく、左右に揺れたりその他の方向に揺れるように制御されてもよい。
【００９６】
そして、主基板３１から全図柄停止を指示する表示制御コマンドを受信すると、左右図柄の揺れ変動状態を終了させて左右中図柄が動かない確定状態になる。なお、中図柄も、パターンｃによる変動の後に揺れ動作を行い、その後確定状態になるようにしてもよい。
【００９７】
図柄が変動している間、表示制御用ＣＰＵ１０１は、背景として「道場」（図１６参照）が表示されるように表示制御を行うとともに、画面中にキャラクタＡ（図１７参照）を表示して適宜キャラクタＡを運動させるように表示制御を行う。具体的には、背景およびキャラクタをＶＤＰ１０３に通知する。すると、ＶＤＰ１０３は、指示された背景の画像データを作成する。また、指示されたキャラクタの画像データを作成し背景画像と合成する。さらに、ＶＤＰ１０３は、合成画像に、左右中図柄の画像データを合成する。ＶＤＰ１０３は、キャラクタが運動するような表示制御および図柄が変動するような表示制御も行う。すなわち、あらかじめ決められている運動パターンに従ってキャラクタの形状および表示位置を変える。また、表示制御用ＣＰＵ１０１から通知される変動速度に応じて図柄表示位置を変えていく。
【００９８】
なお、表示制御用ＣＰＵ１０１は、左右中の図柄表示エリアにおいて、指定された停止図柄で図柄変動が停止するように、所定のタイミングで停止図柄の３図柄前の図柄を表示制御する。変動開始時に左右中の停止図柄が通知され、かつ、はずれ時の変動パターンはあらかじめ決められているので、表示制御用ＣＰＵ１０１は、パターンａからパターンｂへの切替タイミングおよびパターンｂからパターンｃへの切替タイミングを認識することができるとともに、差し替えるべき３図柄前の図柄も決定できる。決定された差し替え図柄はＶＤＰ１０３に通知され、ＶＤＰ１０３は、そのときに表示している図柄に関係なく、通知された図柄を表示する。
【００９９】
図２５（Ｂ）は、確率変動状態におけるはずれ時の変動パターンの一例を示す。この変動パターンでは、図に示されるように、パターンａ、パターンｂおよびパターンｃに従って左右中図柄の変動が行われた後に、左右中図柄が同時に停止する。
【０１００】
図２６は、主基板３１から変動時間として１４．５秒（リーチ短期間）が通知されたときに表示される変動パターンの例を示す。表示制御用ＣＰＵ１０１は、リーチ短期間が通知されると、１４．５秒の複数の変動パターンのうちの何れの変動パターンを用いるのかを独自に決定する。決定方法として、例えば所定の乱数を発生させ乱数値に応じて変動パターンを選択する方法を用いることができる。図２６には、複数の変動パターンとして（Ａ）〜（Ｃ）の３パターンが例示されている。
なお、主基板３１のＣＰＵ５６がリーチ種類まで決定し、決定したリーチ種類に応じた変動パターンを示すコマンドを送るようにしてもよい。
【０１０１】
図２６（Ａ）に示された変動パターンでは、左右図柄が停止した後パターンｄで中図柄の変動が行われる。パターンｄは、変動速度が徐々に低下し、その後一定速度で変動が行われるパターンである。そして、リーチ動作に入り、パターンａ、パターンｂおよびパターンｃに従って中図柄の変動が行われる。主基板３１から全図柄停止を指示する表示制御コマンドを受信すると、左右図柄の揺れ変動状態を終了させて左右中図柄が動かない確定状態になる。
【０１０２】
また、表示制御用ＣＰＵ１０１は、主基板３１から通知されている停止図柄で図柄が確定するように、リーチ動作開始前に図柄の差し替え（図柄の飛ばし制御）を行う。変動パターンはあらかじめ決められているので、表示制御用ＣＰＵ１０１は、パターンｄ〜パターンａへの切替タイミング、パターンｄからパターンｂへの切替タイミングおよびパターンｂからパターンｃへの各切替タイミングを認識することができるとともに、すなわち、各変動態様の時間配分を認識できるとともに、差し替えるべき３図柄前の図柄も決定できる。なお、中図柄の変動中に、背景およびキャラクタの種類は変化しない。
【０１０３】
図２６（Ｂ）に示された変動パターンでは、左右図柄が停止した後パターンｄの中図柄の変動が行われる。そして、リーチ動作に入り、パターンａおよびパターンｃに従って中図柄の変動が行われる。主基板３１から全図柄停止を指示する表示制御コマンドを受信すると、左右図柄の揺れ変動状態を終了させて左右中図柄が動かない確定状態になる。また、表示制御用ＣＰＵ１０１は、主基板３１から通知されている停止図柄で図柄が確定するように、リーチ動作開始前に図柄の差し替えを行う。なお、図２６（Ｂ）に示された変動パターンでは右図柄停止時に、表示制御用ＣＰＵ１０１は、キャラクタＡが右図柄を蹴るように表示制御を行う（図１５参照）。従って、遊技者は、あたかも、キャラクタＡが右図柄を蹴ることによってリーチが成立したように感ずる。
【０１０４】
図２６（Ｃ）に示された変動パターンでは、左右図柄が停止した後パターンｄの中図柄の変動が行われる。そして、リーチ動作に入り、パターンａ、パターンｂおよびパターンｈに従って中図柄の変動が行われる。パターンｈは、一時停止の後に、０．９図柄逆変動して０．９図柄順変動するパターンである。主基板３１から全図柄停止を指示する表示制御コマンドを受信すると、左右図柄の揺れ変動状態を終了させて左右中図柄が動かない確定状態になる。また、表示制御用ＣＰＵ１０１は、主基板３１から通知されている停止図柄で図柄が確定するように、リーチ動作開始前に図柄の差し替えを行う。なお、図２６（Ｃ）に示された変動パターンでは、右図柄が停止すると、表示制御用ＣＰＵ１０１は、背景画像を「オーラ」（図１６参照）に切り替えるとともに、画面に現れるキャラクタをキャラクタＢ（図１７参照）に切り替える。
【０１０５】
図２６（Ａ）〜（Ｃ）に示された変動時間１４．５秒の変動パターンでも、表示制御用ＣＰＵ１０１は、中図柄が確定するまで、左右図柄を上下に揺れ動作させる。また、中図柄の図柄差し替え制御は、右図柄が停止するタイミングで実行される。表示制御用ＣＰＵ１０１は、変動開始時に主基板３１から通知されている中停止図柄と、リーチ変動期間（例えば図２６（Ａ）におけるパターンｄ、パターンａ、パターンｂおよびパターンｃの変動期間）における図柄の変動数とに応じて、差し替え図柄を決定する。
【０１０６】
図２７は、主基板３１から変動時間として２２．５秒が通知されたときに表示される変動パターンの例を示す。表示制御用ＣＰＵ１０１は、変動時間として２２．５秒が通知されると、複数の変動パターンのうちの何れの変動パターンを用いるのかを独自に決定する。なお、図２７には、複数の変動パターンとして（Ａ）〜（Ｃ）の３パターンが例示されている。
【０１０７】
図２７（Ａ）に示された変動パターンでは、左右図柄が停止した後パターンｄの中図柄の変動が行われる。そして、リーチ動作に入り、パターンａ、パターンｂおよびパターンｆに従って中図柄の変動が行われる。パターンｆは高速変動であり、パターンｆによる変動開始前に一時停止期間がおかれる。主基板３１から全図柄停止を指示する表示制御コマンドを受信すると、左右図柄の揺れ変動状態を終了させて左右中図柄が動かない確定状態になる。また、表示制御用ＣＰＵ１０１は、主基板３１から通知されている停止図柄で図柄が確定するように、リーチ動作開始前に図柄の差し替えを行う。
【０１０８】
なお、図２７（Ａ）に示された変動パターンでは、右図柄が停止すると、表示制御用ＣＰＵ１０１は、背景画像を「閃光」（図１６参照）に切り替える。また、右図柄停止時に、表示制御用ＣＰＵ１０１は、キャラクタＡが右図柄を蹴るように表示制御を行う（図１６参照）。さらに、表示制御用ＣＰＵ１０１は、後述する大当り予告を行うことが決定された場合には、左右図柄変動期間において、キャラクタＡの目が光るような表示制御またはキャラクタが発声するような表示制御を行う。
【０１０９】
図２７（Ｂ）に示された変動パターンでは、左右図柄が停止した後パターンｄの中図柄の変動が行われる。そして、リーチ動作に入り、パターンａ、パターンｂおよびパターンｈに従って中図柄の変動が行われる。主基板３１から全図柄停止を指示する表示制御コマンドを受信すると、左右図柄の揺れ変動状態を終了させて左右中図柄が動かない確定状態になる。
【０１１０】
また、表示制御用ＣＰＵ１０１は、主基板３１から通知されている停止図柄で図柄が確定するように、リーチ動作開始前に図柄の差し替えを行う。図２７（Ｂ）に示された変動パターンでは、右図柄が停止すると、表示制御用ＣＰＵ１０１は、背景画像を「閃光」（図１６参照）に切り替える。また、表示制御用ＣＰＵ１０１は、大当り予告を行うことが決定された場合には、左右図柄変動期間において、キャラクタＡの目が光るような表示制御またはキャラクタが発声するような表示制御を行う。
【０１１１】
図２７（Ｃ）に示された変動パターンでは、左右図柄が停止した後パターンｄの中図柄の変動が行われる。そして、リーチ動作に入り、パターンａ、パターンｂおよびパターンｃに従って中図柄の変動が行われる。主基板３１から全図柄停止を指示する表示制御コマンドを受信すると、左右図柄の揺れ変動状態を終了させて左右中図柄が動かない確定状態になる。
【０１１２】
なお、表示制御用ＣＰＵ１０１は、主基板３１から通知されている停止図柄で図柄が確定するように、リーチ動作開始前に図柄の差し替え（図柄の飛ばし制御）を行う。図２７（Ｃ）に示された変動パターンでは、右図柄が停止すると、表示制御用ＣＰＵ１０１は、背景画像を「オーラ」（図１６参照）に切り替えるとともに、画面に現れるキャラクタをキャラクタＢ（図１７参照）に切り替える。また、表示制御用ＣＰＵ１０１は、大当り予告を行うことが決定された場合には、左右図柄変動期間において、キャラクタＡの目が光るような表示制御またはキャラクタが発声するような表示制御を行う。
【０１１３】
図２７（Ａ）〜（Ｃ）に示された変動時間２２．５秒の変動パターンでも、表示制御用ＣＰＵ１０１は、中図柄が確定するまで、左右図柄を上下に揺れ動作させる。また、中図柄の図柄飛ばし制御は、右図柄が停止するタイミングで実行される。
【０１１４】
図２８および図２９は、主基板３１から変動時間として２９．５秒が通知されたときに表示される変動パターンの例を示す。表示制御用ＣＰＵ１０１は、変動時間として２９．５秒が通知されると、複数の変動パターンのうちの何れの変動パターンを用いるのかを独自に決定する。図２８および図２９には、複数の変動パターンとして３パターンが例示されている。
【０１１５】
図２８（Ａ）に示された変動パターンでは、左右図柄が停止した後パターンｄの中図柄の変動が行われる。そして、リーチ動作に入り、パターンａおよびパターンｂによる変動後、一時停止期間をおいてパターンｆに従って中図柄の変動が行われる。また、表示制御用ＣＰＵ１０１は、主基板３１から通知されている停止図柄で図柄が確定するように、リーチ動作開始前に図柄の差し替えを行う。なお、図２８（Ａ）に示された変動パターンでは、右図柄が停止すると、表示制御用ＣＰＵ１０１は、背景画像を「閃光」（図１６参照）に切り替える。また、表示制御用ＣＰＵ１０１は、大当り予告を行うことが決定された場合には、左右図柄変動期間において、キャラクタＡの目が光るような表示制御またはキャラクタが発声するような表示制御を行う。
【０１１６】
さらに、図２８（Ａ）に示された変動パターンでは、中図柄がパターンｆで高速変動する際に、左右図柄も同様に高速変動する。従って、最終停止図柄が大当り図柄の組み合わせである場合には、一時停止時の一時停止図柄も、図柄の種類は異なるが、やはり大当り図柄の組み合わせである。よって、遊技者は、一時停止時に大当りが発生したと感ずるとともに、再変動後に再度大当り図柄が提供されて再度興趣がかき立てられる。なお、一時停止時に非確変図柄で揃った後、最終停止図柄として確変図柄を表示してもよい。また、例えば、左右中図柄が「五」、「五」、「三」で一時停止した後に、右図柄のみを再度高速変動させると、今度は左図柄と中図柄とによってリーチがかかったような演出を行うことができる。
【０１１７】
なお、一時停止図柄は、表示制御用ＣＰＵ１０１が、停止図柄から逆算して独自に決定した図柄である。パターンｆの変動速度と変動期間とはあらかじめ決められているので、表示制御用ＣＰＵ１０１は、最終停止図柄から一時停止図柄を容易に逆算することができる。
【０１１８】
図２８（Ｂ）に示された変動パターンでは、左右図柄が停止した後パターンｄの中図柄の変動が行われる。そして、リーチ動作に入り、パターンａ、パターンｂおよびパターンｈによる変動後、一時停止期間をおいてパターンｆに従って中図柄の変動が行われる。また、表示制御用ＣＰＵ１０１は、主基板３１から通知されている停止図柄で図柄が確定するように、リーチ動作開始前に図柄の差し替えを行う。
【０１１９】
なお、図２８（Ｂ）に示された変動パターンでは、右図柄が停止すると、表示制御用ＣＰＵ１０１は、背景画像を「オーラ」（図１６参照）に切り替えるとともに、画面に現れるキャラクタをキャラクタＢ（図１７参照）に切り替える。また、表示制御用ＣＰＵ１０１は、大当り予告を行うことが決定された場合には、左右図柄変動期間において、キャラクタＡの目が光るような表示制御またはキャラクタが発声するような表示制御を行う。
【０１２０】
図２９（Ｃ）に示された変動パターンでは、左右図柄が停止した後、パターンｄに従って中図柄の変動が行われる。その後、パターンｇに従って中図柄の変動が行われる。パターンｇはコマ送りのパターンである。また、表示制御用ＣＰＵ１０１は、主基板３１から通知されている停止図柄で図柄が確定するように、リーチ動作開始前に図柄の差し替えを行う。
【０１２１】
なお、図２９（Ｃ）に示された変動パターンでは、右図柄が停止すると、表示制御用ＣＰＵ１０１は、背景画像を「煙」（図１６参照）に切り替えるとともに、画面に現れるキャラクタをキャラクタＣ（図１７参照）に切り替える。また、表示制御用ＣＰＵ１０１は、大当り予告を行うことが決定された場合には、左右図柄変動期間において、キャラクタＡの目が光るような表示制御またはキャラクタが発声するような表示制御を行う。
【０１２２】
図２８および図２９に示された変動時間２９．５秒の変動パターンでも、表示制御用ＣＰＵ１０１は、中図柄が確定するまで、左右図柄を上下に揺れ動作させる。また、中図柄の図柄飛ばし制御は、右図柄が停止するタイミングで実行される。
【０１２３】
図２９（Ｃ）に示されたコマ送りを含む変動パターンでは、リーチ動作開始時に、大当りとするか否かに関わらず、左右中の表示図柄を揃ったものとする。すると、左右中図柄の停止図柄は変動開始時に主基板３１から表示制御基板８０に送信されているので、停止図柄とリーチ動作開始時の図柄（左右中が揃ったもの）とから、コマ送り時のコマ数は決まる。
【０１２４】
例えば、図３０（Ｃ１）に示された例では、確定図柄が「七」（左図柄）、「五」（中図柄）、「七」（右図柄）であった場合の例である。リーチ動作開始時の図柄は「七」、「七」、「七」であるから、コマ送り時には１０図柄の変動がなされる必要がある。また、図３０（Ｃ２）に示された例では、確定図柄が「七」（左図柄）、「二」（中図柄）、「七」（右図柄）であった場合の例である。リーチ動作開始時の図柄は「七」、「七」、「七」であるから、コマ送り時には７図柄の変動がなされる必要がある。
【０１２５】
すると、コマ送りの期間を常に一定としておくと、変動時間が２９．５秒からずれてしまう。ずらさないようにするには、送りコマ数に応じてコマ送りの変動速度を変えなければならない。そのような表示制御を行のは不自然である。つまり、遊技者に不信感を与える。そこで、この実施の形態では、表示制御用ＣＰＵ１０１は、図２９（Ｃ）に示された変動パターンを用いることに決定した場合には、コマ送り変動時の変動速度が常に一定になるようにリーチ動作開始時のタイミングを調整する。
【０１２６】
つまり、送りコマ数が少ないときにはリーチ動作開始のタイミングを遅らせ、送りコマ数が多いときにはリーチ動作開始のタイミングを相対的に早める。そのような表示制御を行えば、全体の変動時間が２９．５秒に保たれた上で、コマ送り変動時の変動速度を常に一定にすることができる。
【０１２７】
より具体的には、表示制御用ＣＰＵ１０１は、図３０（Ｃ）に示された変動パターンを用いることに決定した場合には、まず、リーチ動作開始時の表示図柄と最終停止図柄とからコマ送り数を決定する。次いで、コマ送りに要する時間を決定する。すると、リーチ動作開始時のタイミングが決まる。また、変動開始からリーチ動作開始までの時間が決まる。そこで、表示制御用ＣＰＵ１０１は、図２９に示された左右図柄および中図柄に関するパターンａの期間、パターンｂの期間、パターンｃまたはｄの期間の所要時間を決定する。
【０１２８】
各パターン期間に割り振られる時間を決定する好ましい方法は、パターンａの期間およびパターンｃまたはｄの期間を固定的な値として、パターンｂの期間を変化させる方法である。すなわち、図３０（Ｃ１）においてＴＬ１，ＴＲ１，ＴＣ１で示された高速変動期間を可変する方法である。よって、図３０（Ｃ２）に示された高速変動期間ＴＬ２，ＴＲ２，ＴＣ２の期間は、図３０（Ｃ１）における高速変動期間ＴＬ１，ＴＲ１，ＴＣ１とは異なっている。高速変動期間ではそれ以外の期間に比べて遊技者は変動中の表示図柄を目で追いにくい。従って、その期間が可変とされても、遊技者が違和感を覚えることはなく、また、遊技者が不審感を抱くこともない。
【０１２９】
以上のように、この実施の形態では、コマ送り表示によるリーチ動作が行われるときに、リーチ動作開始時の図柄と最終停止図柄との関係から決まるコマ送り数に応じて、中図柄のコマ送り期間と左右図柄の高速変動期間（結果的に中図柄の高速変動期間も）とを調節した。従って、遊技制御手段が決定した変動開始から図柄の最終停止までの期間が変わってしまうことはない。
なお、ここではパターンｂの期間を調節するようにしたが、高速変動期間が複数あるような場合には、各高速変動期間を可変にしてもよい。
【０１３０】
この実施の形態では、リーチ動作開始時に左右中の表示図柄を揃ったものとしたが、そのような遊技演出を行わない遊技機でもこの実施の形態での制御方法を適用できる。例えば、コマ送り表示によるリーチ動作を行うことが決定された場合、表示制御用ＣＰＵ１０１は、所定の乱数等にもとづいてリーチ動作開始時の表示図柄を決定する。あるいは、主基板３１のＣＰＵ５６がリーチ動作開始時の表示図柄を決定し表示制御用ＣＰＵ１０１に通知する。そして、表示制御用ＣＰＵ１０１が、決定されたリーチ動作開始時の表示図柄と最終停止図柄とから中図柄のコマ送り期間と左右図柄の高速変動期間とを決定するようにしてもよい。
【０１３１】
以上のように、この実施の形態では、コマ送り数が一定ではないので、遊技者が最終停止図柄を予測することが難しくなる。従って、遊技者は、リーチ動作時に図柄変動がどの図柄で最終停止するのか一層注目するようになり、遊技の興趣を増進させることができる。また、上述したように、そのような制御を行っても、変動開始から最終停止までの変動時間は所定の時間に保たれるので遊技者に不審感を与えることもない。
【０１３２】
なお、ここでは、コマ送り表示によるリーチ動作を例にしたが、他のリーチ動作の態様でも、リーチ開始時の表示図柄と最終停止図柄との関係に応じて、リーチ動作時の期間の長さを可変にするとともに、それに応じて左右図柄の高速変動期間の長さを可変にするようにしてもよい。
【０１３３】
以下、上述した表示例を実現するための遊技制御手段および表示制御手段の制御について説明する。
図３１は、図１４に示された特別図柄プロセス処理における全図柄変動開始処理（ステップＳ３０４）を示すフローチャートである。ステップＳ３０２，Ｓ３０３の停止図柄設定処理およびリーチ動作設定処理において変動時間と停止図柄が決定されると、それらを指示するための表示制御コマンドの送出制御が行われるのであるが、ステップＳ３０４では、ＣＰＵ５６は、まず、コマンドの送出完了を待つ（ステップＳ３０４ａ）。なお、コマンド送出完了は、メイン処理（図９参照）中の表示制御データ出力処理（ステップＳ５）から通知される。
【０１３４】
この実施の形態では、ＣＰＵ５６は、図柄の変動を開始させるときに、図１８に示された変動時間を特定可能なコマンドＡ０，Ａ２，Ｂ１，Ｂ２，Ｂ３のいずれかを表示制御基板８０に送出する。また、続けて、既に決定されている左右中の停止図柄を示す表示制御コマンドを表示制御基板８０に送出する。よって、ステップＳ３０４ａのコマンド送信完了処理では、それら全てのコマンドの送出が完了したか否か確認される。なお、ＣＰＵ５６は、左右中の停止図柄を示す表示制御コマンドを送出してからコマンドＡ０，Ａ２，Ｂ１，Ｂ２，Ｂ３のいずれかを送出してもよい。
【０１３５】
また、図１８ではコマンドを明示しなかったが、ＣＰＵ５６は、大当り予告を行うか否かを示す表示制御コマンドも表示制御基板８０に送出する。大当り予告を行うか否かを示す情報は、変動時間を特定可能なコマンドに含めてもよい。すなわち、予告ありの変動時間を特定可能な各コマンドと予告なしの変動時間を特定可能な各コマンドとを定義してもよい。
【０１３６】
表示制御コマンドの送出が完了すると、ＣＰＵ５６は、表示制御基板８０に通知した変動時間を測定するための変動時間タイマをスタートする（ステップＳ３０４ｂ）。そして、ステップＳ３０５に移行するように、特別図柄プロセスフラグを更新する（ステップＳ３０４ｃ）。
【０１３７】
図３２は、図１４に示された特別図柄プロセス処理における全図柄停止待ち処理（ステップＳ３０５）を示すフローチャートである。ステップＳ３０５では、ＣＰＵ５６は、変動時間タイマがタイムアップしたか否か確認する（ステップＳ３０５ａ）。タイムアップしたら、全図柄停止を指示する表示制御コマンドを設定する（ステップＳ３０５ｂ）。そして、表示制御コマンドデータ送出要求をセットし（ステップＳ３０５ｃ）、ステップＳ３０６に移行するように、特別図柄プロセスフラグを更新する（ステップＳ３０５ｄ）。なお、表示制御コマンドデータ送出要求は、メイン処理（図９参照）中の表示制御データ設定処理（ステップＳ３）で参照される。
【０１３８】
以上のように、特別図柄プロセス処理において、ＣＰＵ５６は、変動の開始時に変動時間を特定可能な情報と停止図柄を指示する情報とを表示制御基板８０に送出し、変動時間タイマがタイムアップしたら、すなわち指示した変動時間が終了したら、全図柄変動を指示する情報を表示制御基板８０に送出する。その間、ＣＰＵ５６は、表示制御基板８０に表示制御コマンドを送出しない。従って、主基板３１のＣＰＵ５６の表示制御に要する負荷は大きく低減されている。
【０１３９】
図３３は、表示制御データ設定処理（図９に示されたメイン処理におけるステップＳ４）の動作例を示すフローチャートである。表示制御データ設定処理において、ＣＰＵ５６は、まず、データ送出中フラグがセットされているか否か確認する（ステップＳ４１１）。セットされていなければ、表示制御コマンドデータの送出要求フラグがセットされているか否か確認する（ステップＳ４１２）。送出要求フラグがセットされていれば、送出要求フラグをリセットする（ステップＳ４１３）。また、送出すべき表示制御コマンドデータを出力データ格納領域に設定するとともに（ステップＳ４１４）、ポート出力要求をセットする（ステップＳ４１６）。なお、表示制御コマンドデータの送出要求フラグは、特別図柄プロセス処理においてセットされる。また、データ送出中フラグは、後述する表示制御データ出力処理においてセットされる。
【０１４０】
図３４は、図９に示されたメイン処理における表示制御データ出力処理（ステップＳ５）を示すフローチャートである。表示制御データ出力処理において、ＣＰＵ５６は、ポート出力要求がセットされているか否か判定する（ステップＳ４２１）。ポート出力要求がセットされている場合には、ポート出力要求をリセットし（ステップＳ４２２）、ポート格納領域の内容（表示制御コマンドの１バイト目）を出力ポート５７１に出力する（ステップＳ４２３）。そして、ポート出力カウンタを＋１する（ステップＳ４２４）。さらに、ＩＮＴ信号をローレベル（オン状態）にし（ステップＳ４２５）、データ送出中フラグをオンする（ステップＳ４２６）。
【０１４１】
ポート出力要求がセットされていない場合には、ポート出力カウンタの値が０であるか否か判定する（ステップＳ４３１）。ポート出力カウンタの値が０でない場合には、ポート出力カウンタの値が１であるか否か確認する（ステップＳ４３２）。ポート出力カウンタの値が１である場合には、表示制御コマンドの１バイト目に関するＩＮＴ信号オフタイミングになっているので、ＩＮＴ信号をオフ（＝１）にする（ステップＳ４３３）。また、ポート出力カウンタの値を１増やす（ステップＳ４３４）。
【０１４２】
ポート出力カウンタの値が２である場合には（ステップＳ４３５）、表示制御コマンドの２バイト目の出力タイミングになっているので、ポート格納領域の内容（表示制御コマンドの２バイト目）を出力ポート５７１に出力する（ステップＳ４３６）。そして、ポート出力カウンタを＋１する（ステップＳ４３７）。さらに、ＩＮＴ信号をローレベルにする（ステップＳ４３８）。
【０１４３】
そして、ポート出力カウンタの値が２でない場合には、すなわち３である場合には、表示制御コマンドの２バイト目に関するＩＮＴ信号オフタイミングになっているので、ポート出力カウンタの値をクリアするとともに（ステップＳ４４１）、ＩＮＴ信号をオフ（ハイレベル）にする（ステップＳ４４２）。また、データ送出中フラグをオフする（ステップＳ４４３）。
【０１４４】
この実施の形態では、図３４に示された表示制御データ出力処理は２ｍｓに１回実行される。従って、図３４に示されたデータ出力処理によって、図２３に示されたように、２ｍｓ毎に１バイトのデータが出力される。
【０１４５】
次に、表示制御用ＣＰＵ１０１の動作を説明する。
図３５は、表示制御用ＣＰＵ１０１のメイン処理を示すフローチャートである。メイン処理では、表示制御用ＣＰＵ１０１は、まず、ＲＡＭ、Ｉ／ＯポートおよびＶＤＰ１０３等を初期化する（ステップＳ７０１）。そして、可変表示部９にデモンストレーション画面が出現するように表示制御する（ステップＳ７０２）。その後、表示用乱数更新処理（表示用乱数を生成するカウンタの更新処理）を繰り返し実行する（ステップＳ７０３）。
【０１４６】
図３６は、表示制御用ＣＰＵ１０１が扱う表示用乱数を示す説明図である。図３６（Ａ）に示すように、この実施の形態では、表示用乱数として、大当り予告用乱数とリーチ用乱数とがある。大当り予告用乱数は大当り予告の態様を決定するためのものであり、リーチ用乱数は変動パターンを決定するためのものである。図３６（Ｂ）には、リーチ用乱数の値と変動パターンとの関係が示されている。
【０１４７】
図３６（Ｂ）において、Ａ，Ｂ，Ｃは、図２６〜図２９における（Ａ），（Ｂ），（Ｃ）に対応している。すなわち、抽出されたリーチ用乱数の値が上段に示される値であれば、下段に示された変動パターンで図柄の変動が行われる。例えば、主基板３１から変動時間として２９．５秒（リーチ長期間）が通知され、抽出したリーチ用乱数の値が２１であり、大当りとする場合には、図２９（Ｃ）に示された変動パターンで変動を行うことに決定する。なお、大当りとするか否かは、変動時間を指定する表示制御コマンドともに送出された左右中図柄の停止図柄を示す表示制御コマンドにもとづいて判定される。
【０１４８】
この実施の形態では、実際の変動制御等は、タイマ割込処理によって行われる。タイマ割込は、例えば２ｍｓ毎に発生する。図３７に示すように、タイマ割込処理では、表示制御用ＣＰＵ１０１は、表示制御プロセス処理（ステップＳ７１１）を実行する。表示制御プロセス処理では、表示制御プロセスフラグの値に応じた表示制御処理が行われる。
【０１４９】
主基板３１からの表示制御コマンドは、ＩＲＱ２割込によって表示制御用ＣＰＵ１０１に受信される。図３８は、表示制御用ＣＰＵ１０１のＩＲＱ２割込処理を示すフローチャートである。ＩＲＱ２割込処理において、表示制御用ＣＰＵ１０１は、まず、データ受信中フラグがセットされているか否か確認する（ステップＳ６０１）。セットされていなければ、この割込が表示制御コマンドデータにおける第１バイトの表示制御データ送出による割込である。そこで、ポインタをクリアするとともに（ステップＳ６０２）、データ受信中フラグをセットする（ステップＳ６０３）。そして、ステップＳ６０４に移行する。ポインタは、表示制御用ＣＰＵ１０１が内蔵しているＲＡＭにおける表示制御コマンドデータ格納エリアにおける何バイト目に受信データを格納するか指し示すものである。
【０１５０】
データ受信中フラグがセットされている場合には、ストローブ信号がオフしたら（ステップＳ６０４）、表示制御用ＣＰＵ１０１は、入力ポートからデータを入力し、表示制御コマンドデータ格納エリアにおいてポインタによって示されているアドレスに、入力データを格納する（ステップＳ６０５）。
【０１５１】
そして、表示制御用ＣＰＵ１０１は、ポインタの値を＋１する（ステップＳ６０６）。そして、ポインタの値が２になった場合には（ステップＳ６０７）、２バイトで構成される表示制御コマンドデータの受信が完了したことになるので、データ受信完了フラグをセットするとともに、データ受信中フラグをリセットする（ステップＳ６０８，Ｓ６０９）。以上のような処理によって、表示制御データＣＭＤ１，ＣＭＤ２が、表示制御基板８０において受信される。
【０１５２】
図３９は、図３７に示されたタイマ割込処理における表示制御プロセス処理（ステップＳ７１１）を示すフローチャートである。表示制御プロセス処理では、表示制御プロセスフラグの値に応じてステップＳ７２０〜Ｓ８７０のうちのいずれかの処理が行われる。各処理において、以下のような処理が実行される。
【０１５３】
表示制御コマンド受信待ち処理（ステップＳ７２０）：ＩＲＱ２割込処理によって、変動時間を特定可能な表示制御コマンドを受信したか否か確認する。
【０１５４】
リーチ動作設定処理（ステップＳ７５０）：リーチ時には、図２６〜図２９に示された変動パターンのうちのいずれのパターンを使用するのかを決定するとともに、大当り予告の種類を決定する。
【０１５５】
全図柄変動開始処理（ステップＳ７８０）：左右中図柄の変動が開始されるように制御する。
【０１５６】
図柄変動中処理（ステップＳ８１０）：変動パターンを構成する各変動状態（変動速度や背景、キャラクタ）の切替タイミングを制御するとともに、変動時間の終了を監視する。また、左右図柄の停止制御を行う。
【０１５７】
全図柄停止待ち設定処理（ステップＳ８４０）：変動時間の終了時に、全図柄停止を指示する表示制御コマンドを受信していたら、図柄の変動を停止し最終停止図柄（確定図柄）を表示する制御を行う。
【０１５８】
大当り表示処理（ステップＳ８７０）：変動時間の終了後、確変大当り表示または通常大当り表示の制御を行う。
【０１５９】
図４０は、表示制御コマンド受信待ち処理（ステップＳ７２０）を示すフローチャートである。表示制御コマンド受信待ち処理において、表示制御用ＣＰＵ１０１は、まず、コマンド無受信タイマがタイムアウトしたか否か確認する（ステップＳ７２１）。コマンド無受信タイマは、所定期間以上主基板３１から図柄の変動を示す表示制御コマンドを受信しなかったときにタイムアウトとする。タイムアウトした場合には、表示制御用ＣＰＵ１０１は、可変表示部９にデモンストレーション画面を表示する制御を行う（ステップＳ７２２）。
【０１６０】
コマンド無受信タイマがタイムアウトしていなければ、表示制御用ＣＰＵ１０１は、変動時間を特定可能な表示制御コマンドを受信したか否か確認する（ステップＳ７２３）。変動時間を特定可能な表示制御コマンドは、図１８に示されたコマンドＡ０，Ａ２，Ｂ１，Ｂ２，Ｂ３のいずれかである。変動時間を特定可能な表示制御コマンドを受信した場合には、表示制御プロセスフラグの値をリーチ動作設定処理（ステップＳ７５０）に対応した値に変更する（ステップＳ７２４）。
【０１６１】
主基板３１から表示制御基板８０に最初に送信される表示制御コマンドは、変動時間を示すコマンドと左右中図柄の停止図柄を指定するコマンドである。また、予告ありなしの情報も受信されている。それらは、表示制御データ格納エリアに格納されている（図３８におけるステップＳ６０５参照）。なお、以下、変動時間を示すコマンドとともに送られてきた停止図柄を、仮停止図柄と呼ぶ。
【０１６２】
図４１は、リーチ動作設定処理（ステップＳ７５０）を示すフローチャートである。リーチ動作設定処理において、表示制御用ＣＰＵ１０１は、まず、変動時間を特定可能な表示制御コマンドから、リーチにもならないはずれか否か判断する（ステップＳ７５１）。具体的には、コマンドＡ０またはＡ２を受信していたらはずれである。
【０１６３】
はずれであるならば、左右の仮停止図柄が異なっているものであるか否か確認する（ステップＳ７５２）。一致していた場合には、右仮停止図柄を１図柄ずらしたものとする（ステップＳ７５３）。そして、左右中の仮停止図柄を所定の記憶エリアに格納する（ステップＳ７５４）。また、監視タイマに７．９秒を設定する（ステップＳ７５２）。７．９秒は、はずれ時の変動時間７．８秒に対して余裕を持たせた値であり、監視タイマがタイムアウトする前に全図柄停止を指定するコマンドを受信できなかったときには所定の処理が行われる。
【０１６４】
ステップＳ７５１において、はずれでなかったら、すなわち、コマンドＢ１，Ｂ２，Ｂ３のいずれかを受信していたら、左右の仮停止図柄が同一か否か確認する（ステップＳ７５６）。異なっていた場合には、右仮停止図柄を左仮停止図柄と同じものにする（ステップＳ７５７）。そして、左右中の仮停止図柄を所定の記憶エリアに格納する（ステップＳ７５４）。また、表示制御用ＣＰＵ１０１は、コマンドＢ１，Ｂ２またはＢ３に応じた変動時間に０．１秒を加算した値を監視タイマに設定する（ステップＳ７５９）。そして、リーチ態様すなわち変動パターンを決定する（ステップＳ７６０）。具体的には、図３６（Ａ）に示されたリーチ用乱数を発生するためのカウンタのカウント値を抽出し、図３６（Ｂ）に示されたテーブルに従って変動パターンを決定する。
【０１６５】
以上のように、この実施の形態では、表示制御用ＣＰＵ１０１は、可変表示を開始させる際に主基板３１から送出されたコマンドＡ０，Ａ２，Ｂ１，Ｂ２またはＢ３と受信した左右中仮停止図柄とが矛盾しているときには仮停止図柄を補正する。従って、何らかの原因で左右中仮停止図柄に誤りが生じたととしてもその誤りは是正される。誤りとは、例えば、主基板３１から表示制御基板８０に至るケーブルにノイズが乗ってコマンドにビット誤りが生じたような場合である。この結果、遊技制御手段が決定したはずれ／リーチと矛盾するような確定図柄の表示がなされることが防止される。
【０１６６】
次に、表示制御用ＣＰＵ１０１は、主基板３１のＣＰＵ５６から予告を行うことが通知されているか否か確認する（ステップＳ７６１）。予告を行うか否か判定する。予告を行う場合には、大当り予告用乱数の値が０であったら大当り予告１の態様（図１７参照）で大当り予告を行い、大当り予告用乱数の値が１であったら大当り予告２の態様（図１７参照）で大当り予告を行うことにする（ステップＳ７６２）。
【０１６７】
このように、遊技制御手段は大当り予告を行うか否か決定し、表示制御用ＣＰＵ１０１がどの態様で大当り予告を行うのかを決定するので、この点からも、遊技制御手段の表示制御に要する負荷が軽減される。なお、一般に、大当り予告の表示がなされるときには表示に応じた音がスピーカ２７から発せられるが、遊技制御手段は、大当り予告の表示タイミングで音声制御基板７０に対して予告音を発声させるコマンドを送信する。
【０１６８】
なお、ここでは、２種類の大当り予告を例示したが、大当り予告はさらに多種類あってもよい。また、複数の予告態様が用いられる場合に、大当りが発生する確率の高い予告と、大当りが発生する確率が低い予告とに分け、確率が低い予告をリーチ予告と定義づけてもよい。すなわち、本発明で用いられる予告は、大当り予告であってもよいしリーチ予告であってもよい。さらに、確変図柄で大当りが生ずる可能性が高い場合に用いられる予告を、確変大当り予告としてもよい。
【０１６９】
次いで、表示制御用ＣＰＵ１０１は、選択された変動パターンに応じたプロセステーブルを使用することを決定する（ステップＳ７６３）。各プロセステーブルには、その変動パターン中の各変動状態（変動速度やその速度での変動期間等）が設定されている。また、各プロセステーブルはＲＯＭに設定されている。そして、表示制御用ＣＰＵ１０１は、表示制御プロセスフラグの値を全図柄変動開始処理（ステップＳ７８０）に対応した値に変更する（ステップＳ７６４）。
【０１７０】
図４２は、プロセステーブルの構成例を示す説明図である。それぞれの変動パターンに対応した各プロセステーブルには、時系列的に、変動速度やその速度での変動期間、背景やキャラクタの切替タイミング等の図柄変動データが設定されている。また、ある速度での変動期間を決めるためのプロセスタイマ値も設定されている。また、各プロセステーブルは、複数の３バイト単位のプロセスデータで構成され、３バイト中の２バイトがプロセスタイマ値として用いられ１バイトが図柄変動データとして用いられている。なお、１バイトでは全ての図柄変動データを表現できない場合には、プロセステーブルのサイズが例えば４バイトとされる。
【０１７１】
一例として、図４３に、図３０（Ｃ１）に示された変動パターンが使用される場合のプロセステーブルの構成例を示す説明図である。表示制御用ＣＰＵ１０１は、図柄の変動開始時に、まず、左右中図柄を低速で変動させるようにＶ１０３ＤＰを制御する。そして、プロセステーブルの最初に（（１）に）設定されているプロセスタイマ値でタイマをスタートさせる。タイマがタイムアップすると、（１）の図柄変動データに設定されている制御内容でＶＤＰ１０３の制御状態を変更するとともに、（２）のプロセスタイマ値でタイマをスタートさせる。タイマがタイムアップすると、（２）の図柄変動データに設定されている制御内容でＶＤＰ１０３の制御状態を変更するとともに、（３）のプロセスタイマ値でタイマをスタートさせる。
【０１７２】
そして、タイマがタイムアップすると、（３）の図柄変動データに設定されている制御内容でＶＤＰ１０３の制御状態を変更するとともに、（４）のプロセスタイマ値でタイマをスタートさせる。この段階で、左右中図柄は、パターンａの変動態様において変動速度が一段上昇したことになる。
【０１７３】
以下、タイマがタイムアップしたら図柄変動データにもとづく制御状態の変更を行うとともに、プロセステーブルにおける次のプロセスタイマ値を用いてタイマをスタートさせる。従って、左右中の全ての図柄がパターンｂによる高速変動状態に入ってから（（９）に対応）、ＴＬ１−０．６秒が経過すると、左図柄の変動状態をパターンｃによるものとするために、左図柄の変動速度を中速にするように制御状態を変更する（（１０）に対応）。
【０１７４】
ここで、ＴＬ１は変動期間が２９．５秒である変動パターンにおいて１０図柄のコマ送りが行われる場合の左図柄のパターンｂによる変動期間である。そして、コマ送り数が異なると、左図柄のパターンｂによる変動期間も異なる。プロセステーブルの構成方法として、左図柄のパターンｂによる変動期間がとりうる全ての値について、それぞれに対応するプロセステーブルをＲＯＭに設定しておく方法がある。その場合には、そのうちから該当するプロセステーブルを選択して使用すれば容易に高速変動期間およびコマ送り期間を可変とする図柄の変動を実現できる。
【０１７５】
または、図４３に示されたようなプロセステーブルにおいて（１０）および（１６）のプロセスデータを空欄とした１つのテーブルをＲＯＭに設定しておくようにしてもよい。その場合には、表示制御用ＣＰＵ１０１は、変動開始前にコマ送り数およびＴＬ１に相当する時間を決定するとともにＲＯＭ内のテーブルをＲＡＭに設定し、ＲＡＭに設定されたテーブルにおいて決定した値を（１０）および（１６）の欄に設定し、値が設定されたＲＡＭ内のテーブルを使用するようにしてもよい。このようなプロセステーブルの構成方法によれば、ＲＯＭ容量が節減される。
【０１７６】
なお、プロセステーブルには、さらに、背景およびキャラクタの切り替えタイミングも含まれるが、図４３では省略されている。
【０１７７】
以上のように、表示制御用ＣＰＵ１０１は、プロセスタイマのタイムアップによって何らかの表示状態を変更しなければならないことを知ることができる。そして、変更すべき表示状態は、プロセステーブルにおける次のプロセスデータの３バイト目の設定値から知ることができる。
【０１７８】
図４４は、全図柄変動開始処理（ステップＳ７８０）を示すフローチャートである。全図柄変動開始処理において、表示制御用ＣＰＵ１０１は、使用することが決定されたプロセステーブルの最初に設定されているプロセスタイマ値でタイマをスタートさせる（ステップＳ７８１）。また、３バイト目に設定されている変動状態を示すデータにもとづいて図柄変動制御、背景およびキャラクタの表示制御を開始する（ステップＳ７８２）。そして、表示制御プロセスフラグの値を図柄変動中処理（ステップＳ８１０）に対応した値に変更する（ステップＳ７８３）。
【０１７９】
図４５は、図柄変動中処理（ステップＳ８１０）を示すフローチャートである。図柄変動中処理において、表示制御用ＣＰＵ１０１は、プロセスタイマがタイムアウトしたか否か確認する（ステップＳ８１１）。プロセスタイマがタイムアウトした場合には、プロセステーブル中のデータを示すポインタを＋３する（ステップＳ８１２）。そして、ポインタが指す領域のデータが終了コードであるか否か確認する（ステップＳ８１３）。終了コードでなければ、ポインタが指すプロセスデータの３バイト目に設定されている変動状態を示すデータにもとづいて図柄変動制御、背景およびキャラクタの表示制御を変更するとともに（ステップＳ８１４）、１，２バイト目に設定されているプロセスタイマ値でタイマをスタートさせる（ステップＳ８１５）。
【０１８０】
ステップＳ８１３で、終了コードであれば、表示制御プロセスフラグの値を全図柄停止待ち処理（ステップＳ８４０）に対応した値に変更する（ステップＳ８１６）。
【０１８１】
図４６は、全図柄停止待ち処理（ステップＳ８４０）を示すフローチャートである。全図柄停止待ち処理において、表示制御用ＣＰＵ１０１は、全図柄停止を指示する表示制御コマンドを受信しているか否か確認する（ステップＳ８４１）。全図柄停止を指示する表示制御コマンドを受信していれば、記憶されている仮停止図柄で図柄を停止させる制御を行う（ステップＳ８４２）。そして、次の表示制御コマンドの受信までの時間を監視するために、コマンド無受信タイマをスタートさせる（ステップＳ８４３）。
【０１８２】
全図柄停止を指定する表示制御コマンドを受信していない場合には、監視タイマがタイムアウトしているかどうか確認する（ステップＳ８４５）。タイムアウトした場合には、何らかの異常が発生したと判断して、可変表示部９にエラー画面を表示する制御を行う（ステップＳ８４６）。
【０１８３】
ステップＳ８４３の処理を行ったら、表示制御用ＣＰＵ１０１は、表示制御プロセスフラグの値を大当り表示処理（ステップＳ８７０）に対応した値に設定する（ステップＳ８４４）。
【０１８４】
図４７は、大当り表示処理（ステップＳ８７０）を示すフローチャートである。大当り表示処理において、表示制御用ＣＰＵ１０１は、確変大当りか否か判定する（ステップＳ８７１）。表示制御用ＣＰＵ１０１は、確定図柄にもとづいて確変大当りか否かを判定することができる。確変大当りであれば、表示制御用ＣＰＵ１０１は、例えば、「確変大当り」を可変表示部９に表示させる表示制御を行う（ステップＳ８７２）。具体的には、「確変大当り」の表示指示をＶＤＰ１０３に通知する。すると、ＶＤＰ１０３は、指示された表示の画像データを作成する。また、画像データを背景画像と合成する。確変大当りでなければ、表示制御用ＣＰＵ１０１は、例えば、「大当り」を可変表示部９に表示させる表示制御を行う（ステップＳ８７３）。
【０１８５】
その後、大当り表示処理では、主基板３１から送信される大当り遊技状態における表示制御コマンドにもとづいて可変表示部９の表示制御を行う。例えば、ラウンド数の表示等が行われる。そして、主基板３１から大当り遊技の終了を示す表示制御コマンドを受信すると（ステップＳ８７４）、表示制御プロセスフラグの値を表示制御コマンド受信待ち（ステップＳ７２０）に対応した値に設定する（ステップＳ８４４）
【０１８６】
以上のように、この実施の形態では、可変表示部９に可変表示される図柄の変動期間と停止図柄を特定可能な情報を遊技制御手段すなわち主基板３１のＣＰＵ５６から表示制御手段に送出し、表示制御手段が、図柄変動に関わらない背景やキャラクタの表示および表示切替を制御する。従って、１回の図柄変動について遊技制御手段から表示制御手段に送出される表示制御コマンドの数が低減されている。
【０１８７】
そして、遊技制御手段は変動期間が終了した時点で全図柄停止を示す表示制御コマンドを表示制御手段に与え、表示制御手段は、全図柄停止を示す表示制御コマンドによって図柄を確定する。従って、図柄は、遊技制御手段が管理するタイミングで確実に確定する。この実施の形態のように、遊技制御手段が図柄の変動開始に関連する時点で変動時間を特定可能な情報と停止図柄に関する情報を送信し、その後、表示制御手段が独自に変動パターンを決めたり図柄の差し替え制御等を行ったりする場合には、表示制御のかなりの部分が表示制御手段によって実行されていることになる。
【０１８８】
すると、遊技制御手段は具体的な変動パターンを認識できないので、何らの対策も施さないと、遊技制御手段が決定した変動時間とずれた変動が行われているおそれもある。しかし、遊技制御手段が変動期間が終了した時点で全図柄停止を示す表示制御コマンドを表示制御手段に与えるように構成すれば、遊技制御手段が決定した変動時間の終了時に図柄は確実に確定する。また、全図柄停止を指示する表示制御コマンドが受信できない場合にエラー表示を行うようにすれば、異常が生じたことは直ちに認識される。
【０１８９】
さらに、この実施の形態では、最終停止図柄に応じて、１つの変動パターンを構成する各変動態様のうち少なくとも２つ（例えば、上述したパターンｂ，ｇ）の期間を変更して、変動期間（例えば、２９．５秒）を常に一定に保ちつつ変動態様期間を多様にした変動パターンが実現されている。１つの変動パターンにおいて変動態様期間が様々に変更されるので、遊技者は最終停止図柄を予測することが難しくなり、それだけ遊技の興趣を増進させることができる。
【０１９０】
その際、少なくともリーチを構成する各図柄（上記の実施の形態では左右図柄）の変動態様期間（例えば、上述したパターンｂの期間）が可変とされるので、リーチを構成する各図柄間の停止タイミングの時間関係を常に一定とすることができる。従って、上記のような制御を行っても遊技者に違和感を与えることはない。
【０１９１】
また、変動期間が変更される変動態様は一定速の高速変動のパターン（例えば、上述したパターンｂの期間）であるから、図柄を目で追いにくい期間の長さが可変制御されることになる。そのような期間の長さが増減されても、やはり、遊技者に違和感を与えることはない。
【０１９２】
上記の実施の形態では、最終停止図柄に応じて所定のタイミングで図柄の差し替え制御が行われたが、差し替えが行われるタイミングは、期間が増減される高速変動態様が他の変動態様に移るときである（図２９参照）。すなわち、変動速度切り替え時に図柄の差し替えが行われる。よって、遊技者から見ると、高速変動態様期間増減によって時間的タイミングはばらつくが、常に所定の変動制御切り替え時に図柄の差し替えが行われることになる。従って、やはり、遊技者に違和感を与えることはない。
【０１９３】
また、図柄の差し替え対象は、中図柄およびそれ以外の揺れ変動する図柄である。従って、遊技制御手段が決定しているリーチまたは大当りを生じさせる図柄の組み合わせを確実に最終停止図柄として表示することができる。
【０１９４】
なお、上記の実施の形態では、前述した揺れ動作状態と確定状態とを含めて停止状態と定義している。すなわち、その状態において表示されている図柄が次の図柄に変更されることのない場合には、それを停止状態と定義している。
【０１９５】
【発明の効果】
以上のように、請求項１記載の発明では、遊技機を、表示制御手段が、変動時間を特定しうる情報にもとづいて変動時間に対応する識別情報変動パターンで表示制御を実行するとともに、表示結果を特定可能な情報にもとづいて表示結果を表示し、表示される表示結果に応じて識別情報変動パターンを構成する複数の変動態様のうち少なくとも２つの変動態様の期間を変更する変動期間変更手段を含み、変動期間変更手段が、識別情報変動パターンの変動時間を変えることなく２つの変動態様の期間を変更するように構成したので、遊技制御手段の識別情報表示に関する制御の負担を軽くした状態で、実際の変動時間があらかじめ決められている変動時間からずれることのない効果がある。また、変動態様期間が変更されることによって、遊技者は表示結果を予測することが難しくなり、遊技の興趣を増進させることができる効果がある。
【０１９６】
請求項２記載の発明では、変動期間変更手段が、少なくともリーチを成立させる表示領域について変動態様の期間を変更するように構成されているので、リーチを構成する各識別情報間の停止タイミングの時間関係を常に一定とすることができる効果がある。
【０１９７】
請求項３記載の発明では、変動期間変更手段が、高速で一定速の変動態様の期間を変更するように構成されているので、識別情報を目で追いにくい期間の長さが変更されることになって、遊技者に違和感を与えることはないという効果がある。
【０１９８】
請求項４記載の発明では、表示制御手段が、変動態様を他の変動態様に移行させる際に、識別情報を表示結果に応じて差し替えるように構成されているので、常に所定の変動制御切り替え時に識別情報の差し替えが行われることになって、やはり、遊技者に違和感を与えることはないという効果がある。
【０１９９】
請求項５記載の発明では、表示制御手段が、最終停止する表示領域について識別情報を表示結果に応じて差し替えるように構成されているので、特定された表示結果を確実に表示することができる効果がある。
【０２００】
請求項６記載の発明では、表示制御手段が、識別情報を確定させるまでの間、先に停止した表示領域を、通常の変動と同じ態様で正方向と逆方向の変動を繰り返すように表示させるように構成されているので、識別情報が確定していないことが容易に認識できる効果がある。
【図面の簡単な説明】
【図１】  パチンコ遊技機を正面からみた正面図である。
【図２】  パチンコ遊技機の内部構造を示す全体背面図である。
【図３】  パチンコ遊技機の遊技盤を背面からみた背面図である。
【図４】  主基板における回路構成の一例を示すブロック図である。
【図５】  ソレノイド回路の構成例を示すブロック図である。
【図６】  ソレノイドを制御するためのメモリ構成を示す説明図である。
【図７】  表示制御基板の回路構成を示すブロック図である。
【図８】  音声制御基板の回路構成例を示すブロック図である。
【図９】  基本回路のメイン処理を示すフローチャートである。
【図１０】  各乱数を示す説明図である。
【図１１】  打球が始動入賞口に入賞したことを判定する処理を示すフローチャートである。
【図１２】  可変表示の停止図柄を決定する処理およびリーチ種類を決定する処理を示すフローチャートである。
【図１３】  大当たり判定の処理を示すフローチャートである。
【図１４】  特別図柄プロセス処理を示すフローチャートである
【図１５】  可変表示部に表示される左右中図柄の例を示す説明図である。
【図１６】  可変表示部に表示される背景図柄の例を示す説明図である。
【図１７】  可変表示部に表示されるキャラクタの例を示す説明図である。
【図１８】  図柄の可変表示期間を特定可能な表示制御コマンドおよび全図柄の停止を指示する表示制御コマンドを示す説明図である。
【図１９】  左図柄の停止図柄の表示制御コマンドを示す説明図である。
【図２０】  中図柄の停止図柄の表示制御コマンドを示す説明図である
【図２１】  右図柄の停止図柄の表示制御コマンドを示す説明図である
【図２２】  主基板から表示制御基板に送信される表示制御コマンドデータを示す説明図である。
【図２３】  表示制御コマンドデータの送出タイミングの一例を示すタイミング図である。
【図２４】  図柄の各変動パターンを構成する変動状態を示す説明図である。
【図２５】  リーチとしないはずれ時の図柄の変動の一例を示すタイミング図である。
【図２６】  リーチ時の図柄の変動の一例を示すタイミング図である。
【図２７】  リーチ時の図柄の変動の一例を示すタイミング図である。
【図２８】  リーチ時の図柄の変動の一例を示すタイミング図である。
【図２９】  リーチ時の図柄の変動の一例を示すタイミング図である。
【図３０】  変動態様期間の可変制御を説明するための説明図である。
【図３１】  特別図柄プロセス処理におけるコマンド送信完了待ちの処理を示すフローチャートである。
【図３２】  特別図柄プロセス処理における全図柄停止待ち処理を示すフローチャートである。
【図３３】  表示制御データ設定処理の動作例を示すフローチャートである。
【図３４】  表示制御データ出力処理を示すフローチャートである。
【図３５】  表示制御用ＣＰＵのメイン処理を示すフローチャートである。
【図３６】  表示用乱数を示す説明図である。
【図３７】  表示制御用ＣＰＵのタイマ割込処理を示すフローチャートである。
【図３８】  表示制御用ＣＰＵのＩＲＱ２割込処理を示すフローチャートである。
【図３９】  表示制御プロセス処理を示すフローチャートである。
【図４０】  表示制御プロセス処理の表示制御コマンド受信待ち処理を示すフローチャートである。
【図４１】  表示制御プロセス処理のリーチ動作設定処理を示すフローチャートである。
【図４２】  表示制御プロセステーブルの構成例を示す説明図である。
【図４３】  表示制御プロセステーブルの一例を示す説明図である。
【図４４】  表示制御プロセス処理の全図柄停止待ち処理を示すフローチャートである。
【図４５】  表示制御プロセス処理の全図柄変動開始処理を示すフローチャートである。
【図４６】  表示制御プロセス処理の全図柄停止待ち処理を示すフローチャートである。
【図４７】  表示制御プロセス処理の大当り表示処理を示すフローチャートである。
【符号の説明】
９      可変表示部
３１    遊技制御基板（主基板）
５３    基本回路
５６    ＣＰＵ
６３    出力バッファ回路
７０    音声制御基板
８０    表示制御基板
１０１  表示制御用ＣＰＵ
１０２  制御データＲＯＭ
１０３  ＶＤＰ
１０５  入力バッファ回路
【図１】
0004236754.tif 000002
【図２】
0004236754.tif 000003
【図３】
0004236754.tif 000004
【図４】
0004236754.tif 000005
【図５】
0004236754.tif 000006
【図６】
0004236754.tif 000007
【図７】
0004236754.tif 000008
【図８】
0004236754.tif 000009
【図９】
0004236754.tif 000010
【図１０】
0004236754.tif 000011
【図１１】
0004236754.tif 000012
【図１２】
0004236754.tif 000013
【図１３】
0004236754.tif 000014
【図１４】
0004236754.tif 000015
【図１５】
0004236754.tif 000016
【図１６】
0004236754.tif 000017
【図１７】
0004236754.tif 000018
【図１８】
0004236754.tif 000019
【図１９】
0004236754.tif 000020
【図２０】
0004236754.tif 000021
【図２１】
0004236754.tif 000022
【図２２】
0004236754.tif 000023
【図２３】
0004236754.tif 000024
【図２４】
0004236754.tif 000025
【図２５】
0004236754.tif 000026
【図２６】
0004236754.tif 000027
【図２７】
0004236754.tif 000028
【図２８】
0004236754.tif 000029
【図２９】
0004236754.tif 000030
【図３０】
0004236754.tif 000031
【図３１】
0004236754.tif 000032
【図３２】
0004236754.tif 000033
【図３３】
0004236754.tif 000034
【図３４】
0004236754.tif 000035
【図３５】
0004236754.tif 000036
【図３６】
0004236754.tif 000037
【図３７】
0004236754.tif 000038
【図３８】
0004236754.tif 000039
【図３９】
0004236754.tif 000040
【図４０】
0004236754.tif 000041
【図４１】
0004236754.tif 000042
【図４２】
0004236754.tif 000043
【図４３】
0004236754.tif 000044
【図４４】
0004236754.tif 000045
【図４５】
0004236754.tif 000046
【図４６】
0004236754.tif 000047
【図４７】
0004236754.tif 000048